(57)【要約】【課題】ＬＥＤディスプレイを提供する。【解決手段】当該ディスプレイは、ＬＥＤ表示パネル（１０）と、第１の定電流通路セット（３３１）、第２の定電流通路セット（３３３）と第３の定電流通路セット（３３５）を含む駆動回路（３３）と制御回路（３５）を含む表示駆動回路（３０）と、を含み、第１の定電流通路セット（３３１）がＬＥＤ表示パネル（１０）の赤色ランプの表示を制御し、第２の定電流通路セット（３３３）がＬＥＤ表示パネル（１０）の緑色ランプの表示を制御し、第３の定電流通路セット（３３５）がＬＥＤ表示パネル（１０）の青色ランプの表示を制御し、また、制御回路（３５）は、駆動回路（３３）のオン又はオフを制御する駆動制御回路（３５３）を含む。駆動回路（３３）と制御回路（３５）を表示駆動回路（３０）に集積し、駆動回路（３３）が三つの定電流通路セットを含み、それぞれＬＥＤ粒子アレイ中の三原色の順序の表示を制御し、ＬＥＤディスプレイの制御回路（３３）がパネルで占める面積が小さく、設計が簡単で、リフレッシュレート高く、消費電力が小さい効果を実現できる。【選択図】図４
2016505879.tif 000002
【特許請求の範囲】
【請求項１】
ＬＥＤ表示パネルと、
第１の定電流通路セット、第２の定電流通路セット、第３の定電流通路セットを含む駆動回路と、制御回路とを含む表示駆動回路と
を含み、
前記第１の定電流通路セットが一つ又は複数の定電流ロジック部品を含み、各前記定電流ロジック部品の第１端子がそれぞれ第１の給電機器の電源端子に接続され、各前記定電流ロジック部品の第３端子がそれぞれ前記制御回路の駆動制御ポートの第１のＲ表示制御サブポートに接続され、各前記定電流ロジック部品の第２端子がそれぞれ前記ＬＥＤ表示パネル中の対応する列の各ＬＥＤ粒子中の赤色ランプの陰極に接続されとて前記ＬＥＤ表示パネルの赤色ランプの表示を制御し、
前記第２の定電流通路セットが一つ又は複数の前記定電流ロジック部品を含み、各前記定電流ロジック部品の第１端子がそれぞれ第２の給電機器の電源端子に接続され、各前記定電流ロジック部品の第３端子がそれぞれ前記制御回路の駆動制御ポートの第１のＧ表示制御サブポートに接続され、各前記定電流ロジック部品の第２端子がそれぞれ前記ＬＥＤ表示パネル中の対応する列の各前記ＬＥＤ粒子中の緑色ランプの陰極に接続されて前記ＬＥＤ表示パネルの緑色ランプの表示を制御し、
前記第３の定電流通路セットが一つ又は複数の前記定電流ロジック部品を含み、各前記定電流ロジック部品の第１端子がそれぞれ第３の給電機器の電源端子に接続され、各前記定電流ロジック部品の第３端子がそれぞれ前記制御回路の駆動制御ポートの第１のＢ表示制御サブポートに接続され、各前記定電流ロジック部品の第２端子がそれぞれ前記ＬＥＤ表示パネル中の対応する列の各前記ＬＥＤ粒子中の青色ランプの陰極に接続されて前記ＬＥＤ表示パネルの青色ランプの表示を制御し、
前記制御回路が、駆動制御ポートを介して前記駆動回路の第３端子に接続されて前記駆動回路のオン又はオフを制御する駆動制御回路を含み、
前記駆動回路が前記ＬＥＤ表示パネルの順序表示を制御することを特徴とするＬＥＤディスプレイ。
【請求項２】
前記駆動制御回路は、前記第１のＲ表示制御サブポートを介して前記第１の定電流通路セット中の各前記定電流ロジック部品のオンを制御し、各前記定電流ロジック部品がオンされて、それぞれ、前記定電流ロジック部品に対応する前記ＬＥＤ表示パネルの列のＬＥＤ粒子中の赤色ランプに電流通路を提供することで、前記電界効果トランジスタに対応する前記ＬＥＤ表示パネルの行のＬＥＤ粒子の前記赤色ランプの表示を制御し、
前記駆動制御回路はさらに、前記第１のＧ表示制御サブポートを介して前記第２の定電流通路セット中の各前記定電流ロジック部品のオンを制御し、各前記定電流ロジック部品がオンされて、それぞれ、前記定電流ロジック部品に対応する前記ＬＥＤ表示パネルの列のＬＥＤ粒子中の緑色ランプに電流通路を提供することで前記電界効果トランジスタに対応する前記ＬＥＤ表示パネルの行のＬＥＤ粒子の前記緑色ランプの表示を制御し、
前記駆動制御回路はさらに、前記第１のＢ表示制御サブポートを介して前記第３の定電流通路セット中の各前記定電流ロジック部品のオンを制御し、各前記定電流ロジック部品がオンされて、それぞれ、前記定電流ロジック部品に対応する前記ＬＥＤ表示パネルの列のＬＥＤ粒子中の青色ランプに電流通路を提供することで前記電界効果トランジスタに対応する前記ＬＥＤ表示パネルの行のＬＥＤ粒子の前記青色ランプの表示を制御することを特徴とする請求項１に記載のディスプレイ。
【請求項３】
前記表示駆動回路は、第１端子が前記給電機器のアース端子に接続され、第２端子が前記ＬＥＤ表示パネルの陽極に接続されるスイッチ回路をさらに含み、
前記制御回路は、給電制御ポートを介して前記スイッチ回路の第３端子に接続されて前記スイッチ回路のオン又はオフを制御する給電制御回路を更に含み、
前記スイッチ回路が前記ＬＥＤ表示パネルへの給電を制御することを特徴とする請求項１に記載のディスプレイ。
【請求項４】
前記スイッチ回路は、一つ又は複数の電界効果トランジスタを含むサブスイッチ回路を含み、
各前記電界効果トランジスタのソースはそれぞれ、前記給電機器のアース端子に接続され、
各前記電界効果トランジスタのドレインはそれぞれ、前記ＬＥＤ表示パネル中の対応する行の各前記ＬＥＤ粒子の陰極に接続され、
各前記電界効果トランジスタのゲートはそれぞれ、前記給電制御ポート中の対応する接続端子に接続されることを特徴とする請求項３に記載のディスプレイ。
【請求項５】
前記給電制御回路は、各前記電界効果トランジスタのオンを制御することで、前記電界効果トランジスタに対応する前記ＬＥＤ表示パネルの行のＬＥＤ粒子に給電することを特徴とする請求項４に記載のディスプレイ。
【請求項６】
前記電界効果トランジスタがＮ−ＭＯＳトランジスタであり、前記ＬＥＤ表示パネルがＭ行Ｎ列個の前記ＬＥＤ粒子を含み、各前記ＬＥＤ粒子がそれぞれ、前記赤色ランプと、前記緑色ランプと、前記青色ランプとを含み、
各行の第ｉ個のＬＥＤ粒子中の前記赤色ランプの陰極、前記緑色ランプの陰極、前記青色ランプの陰極は第ｉノードに並列接続され、それぞれ、前記スイッチ回路中の対応する前記Ｎ−ＭＯＳトランジスタのドレインに接続され、各行の各ノードは並列接続され、
各列の各前記ＬＥＤ粒子の前記赤色ランプの陽極はそれぞれ並列接続されて前記ＬＥＤ表示パネルの陽極の接続端子として、それぞれ、前記第１の定電流通路セット中の対応する一つの前記定電流ロジック部品の第２端子に接続され、
各列の各前記ＬＥＤ粒子の前記緑色ランプの陽極はそれぞれ並列接続されて前記ＬＥＤ表示パネルの陽極の一つの接続端子として、それぞれ、前記第２の定電流通路セット中の対応する一つの前記定電流ロジック部品の第２端子に接続され、
各列の各前記ＬＥＤ粒子の前記青色ランプの陽極はそれぞれ並列接続されて前記ＬＥＤ表示パネルの陽極の一つの接続端子として、それぞれ、前記第３の定電流通路セット中の対応する一つの前記定電流ロジック部品の第２端子に接続されることを特徴とする請求項４又は５に記載のディスプレイ。
【請求項７】
前記電界効果トランジスタがＮ−ＭＯＳトランジスタであり、前記ＬＥＤ表示パネルがＭ行Ｎ列個の前記ＬＥＤ粒子を含み、各前記ＬＥＤ粒子がそれぞれ前記赤色ランプと、前記緑色ランプと、前記青色ランプとを含み、
各行の各前記ＬＥＤ粒子中の前記赤色ランプの陰極、前記緑色ランプの陰極、前記青色ランプの陰極は並列接続され、それぞれ、前記スイッチ回路中の対応する一つの前記Ｎ−ＭＯＳトランジスタのドレインに接続され、
各列の各前記ＬＥＤ粒子の前記赤色ランプの陽極はそれぞれ並列接続され、それぞれ前記第１の定電流通路セット中の対応する一つの前記定電流ロジック部品の第２端子に接続され、
各列の各前記ＬＥＤ粒子の前記緑色ランプの陽極はそれぞれ並列接続され、それぞれ前記第２の定電流通路セット中の対応する一つの前記定電流ロジック部品の第２端子に接続され、
各列の各前記ＬＥＤ粒子の前記青色ランプの陽極はそれぞれ並列接続され、それぞれ前記第３の定電流通路セット中の対応する一つの前記定電流ロジック部品の第２端子に接続されることを特徴とする請求項４又は５に記載のディスプレイ。
【請求項８】
前記スイッチ回路は第１のサブスイッチ回路と第２のサブスイッチ回路とを含み、
前記第１のサブスイッチ回路が一つ又は複数の電界効果トランジスタを含み、各前記電界効果トランジスタのソースがそれぞれ前記給電機器のアース端子に接続され、各前記電界効果トランジスタのドレインがそれぞれ前記ＬＥＤ表示パネル中の対応する行の各前記ＬＥＤ粒子中の前記赤色ランプの陰極に接続され、各前記電界効果トランジスタのゲートがそれぞれ前記給電制御ポート中の対応する接続端子に接続されて前記ＬＥＤ表示パネルの前記赤色ランプへの給電を制御し、
前記第２のサブスイッチ回路が一つ又は複数の前記電界効果トランジスタを含み、各前記電界効果トランジスタのソースがそれぞれ前記給電機器のアース端子に接続され、各前記電界効果トランジスタのドレインがそれぞれ前記ＬＥＤ表示パネル中の対応する行の各前記ＬＥＤ粒子中の前記緑色ランプと前記青色ランプの陰極に接続され、各前記電界効果トランジスタのゲートがそれぞれ前記給電制御ポート中の対応する接続端子に接続されて前記ＬＥＤ表示パネルの前記緑色ランプと前記青色ランプへの給電を制御することを特徴とする請求項３に記載のディスプレイ。
【請求項９】
前記給電制御回路は前記第１のサブスイッチ回路中の一つの前記電界効果トランジスタのオンを制御して、前記第１のサブスイッチ回路中の前記電界効果トランジスタに対応する前記ＬＥＤ表示パネルの行のＬＥＤ粒子中の前記赤色ランプに給電し、
前記給電制御回路はさらに、前記第２のスイッチ回路中の前記第１のサブスイッチ回路に対応する電界効果トランジスタのオンを制御して、第１のサブスイッチ回路中の前記電界効果トランジスタに対応する前記ＬＥＤ表示パネルの行のＬＥＤ粒子中の前記緑色ランプと前記青色ランプに給電し、
前記駆動制御回路は前記第２のＲ表示制御サブポートを介して前記第１の定電流通路セット中の各前記定電流ロジック部品のオンを制御し、各前記定電流ロジック部品はオンされた後、それぞれ、前記定電流ロジック部品に対応する前記ＬＥＤ表示パネルの列のＬＥＤ粒子中の前記赤色ランプに電流通路を提供することで前記電界効果トランジスタに対応する前記ＬＥＤ表示パネルの行のＬＥＤ粒子の前記赤色ランプの表示を制御し、
前記駆動制御回路は更に前記第２のＧ表示制御サブポートを介して前記第２の定電流通路セット中の各前記定電流ロジック部品のオンを制御し、各前記定電流ロジック部品はオンされた後、それぞれ、前記定電流ロジック部品に対応する前記ＬＥＤ表示パネルの列のＬＥＤ粒子中の前記緑色ランプに電流通路を提供することで前記電界効果トランジスタに対応する前記ＬＥＤ表示パネルの行のＬＥＤ粒子の前記緑色ランプの表示を制御し、
前記駆動制御回路は更に、前記第２のＢ表示制御サブポートを介して前記第３の定電流通路セット中の各前記定電流ロジック部品のオンを制御し、各前記定電流ロジック部品はオンされた後、それぞれ、前記定電流ロジック部品に対応する前記ＬＥＤ表示パネルの列のＬＥＤ粒子中の前記青色ランプに電流通路を提供することで前記電界効果トランジスタに対応する前記ＬＥＤ表示パネルの行のＬＥＤ粒子の前記青色ランプの表示を制御することを特徴とする請求項８に記載のディスプレイ。
【請求項１０】
前記電界効果トランジスタがＮ−ＭＯＳトランジスタであり、前記ＬＥＤ表示パネルがＭ行Ｎ列個の前記ＬＥＤ粒子を含み、各前記ＬＥＤ粒子がそれぞれ前記赤色ランプと、前記緑色ランプと、前記青色ランプとを含み、
各行の第ｉ個のＬＥＤ粒子中の前記赤色ランプの陰極は第ｉノードに並列接続され、それぞれ前記第１のサブスイッチ回路中の対応する一つの前記Ｎ−ＭＯＳトランジスタのドレインに接続され、各行の各ノードは並列接続され、
各行の第ｊ個のＬＥＤ粒子中の前記緑色ランプの陰極と前記青色ランプの陰極は第ｊノードに並列接続され、それぞれ、前記第２のサブスイッチ回路中の対応する一つの前記Ｎ−ＭＯＳトランジスタのドレインに接続され、各行の各ノードは並列接続され、
各列の各前記ＬＥＤ粒子の前記赤色ランプの陽極はそれぞれ並列接続され、それぞれ前記第１の定電流通路セット中の対応する一つの前記定電流ロジック部品の第２端子に接続され、
各列の各前記ＬＥＤ粒子の前記緑色ランプの陽極はそれぞれ並列接続され、それぞれ前記第２の定電流通路セット中の対応する一つの前記定電流ロジック部品の第２端子に接続され、
各列の各前記ＬＥＤ粒子の前記青色ランプの陽極はそれぞれ並列接続され、それぞれ前記第３の定電流通路セット中の対応する一つの前記定電流ロジック部品の第２端子に接続されることを特徴とする請求項８又は９に記載のディスプレイ。
【請求項１１】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ前記赤色ランプと、前記緑色ランプと、前記青色ランプとを含み、
各行の各前記ＬＥＤ粒子中の前記赤色ランプの陰極は並列接続され、それぞれ前記第１のサブスイッチ回路中の対応する一つの前記Ｎ−ＭＯＳトランジスタのドレインに接続され、
各行の各前記ＬＥＤ粒子中の前記緑色ランプの陰極と前記青色ランプの陰極は並列接続され、それぞれ前記第２のサブスイッチ回路中の対応する一つの前記Ｎ−ＭＯＳトランジスタのドレインに接続され、
各列の各前記ＬＥＤ粒子の前記赤色ランプの陽極はそれぞれ並列接続され、それぞれ前記第１の定電流通路セット中の対応する一つの前記定電流ロジック部品の第２端子に接続され、
各列の各前記ＬＥＤ粒子の前記緑色ランプの陽極はそれぞれ並列接続され、それぞれ前記第２の定電流通路セット中の対応する一つの前記定電流ロジック部品の第２端子に接続され、
各列の各前記ＬＥＤ粒子の前記青色ランプの陽極はそれぞれ並列接続され、それぞれ前記第３の定電流通路セット中の対応する一つの前記定電流ロジック部品の第２端子に接続されることを特徴とする請求項８または９に記載のディスプレイ。
【請求項１２】
前記ＬＥＤ表示パネル中の前記ＬＥＤ粒子が前記赤色ランプと、前記緑色ランプと、前記青色ランプとを含み、
前記赤色ランプ、前記緑色ランプ、前記青色ランプが前記ＬＥＤ粒子に集積されるか、又は、
前記赤色ランプ、前記緑色ランプ、前記青色ランプがそれぞれ独立してカプセル化された後に前記ＬＥＤ粒子に設けられることを特徴とする請求項１に記載のディスプレイ。
【発明の詳細な説明】
【技術分野】
【０００１】
本発明は、ＬＥＤ機器分野に関し、具体的に、ＬＥＤディスプレイに関するもにである。
【背景技術】
【０００２】
今のＬＥＤディスプレイのセルプレートの設計には、ＬＥＤと、Ｐ−ＭＯＳトランジスタと、ＬＥＤ駆動回路とをそれぞれ独立にに配置する方式を利用している。図１ｂに示すように、ＬＥＤ粒子は、四本足Ｒ／Ｇ／Ｂ共陽三位一体型ＬＥＤで、その中の一本足は公共陽極で、２／３／４はそれぞれ、Ｂ／Ｇ／Ｒ三原色ＬＥＤの陰極であって、外部表示駆動回路３０’の制御ポートの中の一つは定電流制御信号出力ポートで、二番目は行給電制御ポートで、両方が協力してＬＥＤアレイ表示動作を実現する。
【０００３】
図１ａ〜１ｃは、既存技術における三陽位一体型ＬＥＤ粒子のＬＥＤ駆動回路を独立にして排列したことを示す図である。図１ａに示すように、当該ＬＥＤ駆動回路は三つのロジック回路とそれに対応する定電流通路セットとを含み、それぞれ、ＬＥＤセルプレート中のＲ／Ｇ／Ｂ表示を制御するＬＥＤ駆動制御回路であって、当該三つの集積回路の内部構造は同じでであって、外部表示駆動回路３０’の制御で、ＬＥＤアレイを駆動して表示する。現在のＬＥＤ駆動回路は、幾つかの独立した定電流ロジック部品を含んで定電流アレイを構成し、各定電流ロジック部品は、定電流入力端子、定電流出力端子、定電流制御端子から構成され、定電流アレイの定電流出力端子は共にＬＥＤ駆動回路の外接リードＧＮＤに接続され、定電流アレイはＬＥＤ駆動制御回路の内部ロジック回路によって総括的に制御され、各独立した定電流ロジック部品の順序の動作を実現し、外部ＬＥＤの表示を制御し、また、内部ロジック回路はＬＥＤ駆動回路信号入力ポートと信号出力ポートとの二つの部分を更に含み、その中の信号入力ポートは外部表示駆動回路３０’の定電流制御信号出力ポートに接続され、信号出力ポートは下位のＬＥＤ駆動回路の信号入力ポートのカスケード接続に用いられるか又は空き状態にし、図１ｃに示すＰ−ＭＯＳ部品は、行給電制御ポートに制御されてＬＥＤアレイの行給電制御を実現する。
【０００４】
ＬＥＤセルプレートは、Ｍ行*Ｎ列のＬＥＤ行列に排列されて構成され、単一行ＬＥＤの陽極はそれぞれＰ−ＭＯＳのドレイン（Ｄｒａｉｎ）に接続され、単一列ＬＥＤ原色の共通陰極はそれぞれＬＥＤ駆動回路の定電流入力端子に接続され、Ｐ−ＭＯＳのソース（Ｓｏｕｒｃｅ)は給電端子ＶＣＣに接続され、ゲート（Ｇａtｅ）は行給電制御ポートに接続され、表示駆動回路３０’の制御によって、一つのＰ−ＭＯＳのドレイン（Ｄｒａｉｎ）をオンして、当該行のＬＥＤの陽極に給電し、同時に、定電流制御信号出力ポートがＬＥＤ駆動回路のロジック回路を制御することで、定電流アレイの順序のオンを制御し、当該行のＬＥＤ電流を順序にＧＮＤまでオンし、ＬＥＤの順序の点灯を実現する。
【０００５】
上記のように、Ｐ−ＭＯＳ、ＬＥＤ駆動回路、表示駆動回路３０’が全て独立にパケット化された電子部品であるので、一定の走査方式且つ一定のＰ−ＭＯＳ負荷で、一定の解像度のＬＥＤアレイの表示に使用されるＰ−ＭＯＳ、ＬＥＤ駆動回路、表示駆動回路３０’が占めるＰＣＢ面積が一定値であって、即ち、これらの部品が占めるＰＣＢ面積が一定値であって、高密度のＬＥＤディスプレイの制御方式に応用する場合、リフレッシュレートが低く、設計難度が高い問題をもたらすことになる。
【０００６】
そして、図２ａ〜２ｃは、既存技術における六本足Ｒ／Ｇ／Ｂ三位一体型ＬＥＤのＬＥＤ駆動回路を独立して排列したことを示す図である。ここで、図２ｂに示す各六本足Ｒ／Ｇ／Ｂ三位一体型ＬＥＤの陽極は１、２、３の三つのリードを有し、内部のＲ／Ｇ／Ｂ陽極に対応し、陰極は、４、５、６の三つのリードを有し、それぞれ内部のＢ／Ｇ／Ｒ陰極に対応し、また、ＬＥＤセルプレートはＭ行*Ｎ列のＬＥＤ行列に排列されて構成され、単一行ＬＥＤの陽極はそれぞれＰ−ＭＯＳのドレイン（Ｄｒａｉｎ）に、単一列ＬＥＤの共通原色陰極はそれぞれＬＥＤ駆動回路の入力端子に、Ｐ−ＭＯＳのソース（Ｓｏｕｒｃｅ）は給電端子ＶＣＣに、ゲート（Ｇａtｅ）は表示駆動回路３０’の給電制御ロジック部分に、ドレイン（Ｄｒａｉｎ）はＬＥＤセルプレートの１セットのＬＥＤ陽極（図において単一行ＬＥＤであるが、実際に、当該セットの定義は１行に限定されない）に接続され、ＬＥＤ駆動回路の制御端子はＬＥＤ駆動回路制御部分の一つの分岐に接続され、ＬＥＤ点灯された駆動電流はＬＥＤの陰極（４、５、６リード）からＬＥＤ駆動回路の入力端子及びＬＥＤ駆動制御回路の出力端子を経過してＧＮＤまで流れ、表示駆動回路３０’は行給電制御ロジック部分とＬＥＤ駆動回路制御部分とを含み、それによる制御によって、ＬＥＤセルプレートの表示動作を実現する。
【０００７】
図３ａ〜３ｃは、既存技術中のＲ／Ｇ／Ｂの独立したＬＥＤのＬＥＤ駆動回路を独立して排列したことを示す図である。図３ｂに示すように、Ｒ／Ｇ／Ｂの独立したＬＥＤ粒子の陽極はリード１で、陰極はリード２であって、応用する際、Ｒ／Ｇ／Ｂは並行に熔接されて一つのフルカラーピクセルとし、ＬＥＤセルプレートはＭ行*Ｎ列のＬＥＤ行列に排列されて構成され、単一行ＬＥＤの陽極はそれぞれＰ−ＭＯＳのドレイン（Ｄｒａｉｎ）に、単一列ＬＥＤの共通原色陰極はそれぞれＬＥＤ駆動制御回路の入力端子に、Ｐ−ＭＯＳのソース(Ｓｏｕｒｃｅ）は給電端子ＶＣＣに、ゲート（Ｇａtｅ）は表示駆動回路３０’の給電制御ロジック部分に、ドレイン（Ｄｒａｉｎ）はＬＥＤセルプレートの１セットＬＥＤ陽極（図３ａにおいて単一行ＬＥＤであるが、実際に、当該セットの定義は１行に限定されない）に接続され、また、ＬＥＤ駆動回路の制御端子はＬＥＤ駆動回路制御部分の一つの分岐に接続され、ＬＥＤ点灯された駆動電流はＬＥＤ粒子の陰極（２リード）からＬＥＤ駆動回路の入力端子及びＬＥＤ駆動制御回路の出力端子を経過してＧＮＤまで流れ、表示駆動回路３０’は行給電制御ロジック部分とＬＥＤ駆動回路制御部分とを含み、それによる制御によって、ＬＥＤセルプレートの表示動作を実現する。
【０００８】
上記のように、Ｒ／Ｇ／Ｂの各原色発光ダイオードの動作電圧は異なって、ここで、赤色発光ダイオードの典型的な動作電圧は１.８〜２Ｖで、緑色、青色発光ダイオードの典型的な動作電圧は３.４〜３.６Ｖであって、Ｇ／Ｂ原色発光ダイオードの動作電圧を正常にに保証するため、Ｐ−ＭＯＳの出力電圧が、緑色、青色発光ダイオードの典型的な電圧とＬＥＤ駆動回路の典型的な定電流電圧との合計を超えていなければならない。これにより、赤色発光ダイオードと緑色、青色発光ダイオードとの電圧差をＬＥＤ駆動回路に印加して熱を介して散らさなければならなく、ＬＥＤディスプレイの消費電力が大きくなってしまう。
既存技術において、ＬＥＤディスプレイの制御回路が占めるＰＣＢ面積が大きく、リフレッシュレートが低い問題に対して、未だに有効な解決案を提示していない。
【発明の概要】
【発明が解決しようとする課題】
【０００９】
既存技術において、ＬＥＤディスプレイの制御回路が占めるＰＣＢ面積が大きく、リフレッシュレートが低く、消費電力が大きい問題に対して、未だに有効な解決案を提示していない問題に鑑み、本発明は、上記問題を解決できるＬＥＤディスプレイを提供することをその目的とする。
【課題を解決するための手段】
【００１０】
上記目的を実現するため、本発明の一態様によると、ＬＥＤ表示パネルと、駆動回路と、制御回路とを含む表示駆動回路とを含み、駆動回路は、第１の定電流通路セットと、第２の定電流通路セットと、第３の定電流通路セットとを含み、第１の定電流通路セットが一つ又は複数の定電流ロジック部品を含み、各定電流ロジック部品の第１端子がそれぞれ第１の給電機器の電源端子に接続され、各定電流ロジック部品の第３端子がそれぞれ制御回路の駆動制御ポートの第１のＲ表示制御サブポートに接続され、各定電流ロジック部品の第２端子がそれぞれＬＥＤ表示パネル中の対応する列の各ＬＥＤ粒子中の赤色ランプの陰極に接続されてＬＥＤ表示パネルの赤色ランプの表示を制御し、第２の定電流通路セットが一つ又は複数の定電流ロジック部品を含み、各定電流ロジック部品の第１端子がそれぞれ第２の給電機器の電源端子に接続され、各定電流ロジック部品の第３端子がそれぞれ制御回路の駆動制御ポートの第１のＧ表示制御サブポートに接続され、各定電流ロジック部品の第２端子がそれぞれＬＥＤ表示パネル中の対応する列の各ＬＥＤ粒子中の緑色ランプの陰極に接続されてＬＥＤ表示パネルの緑色ランプの表示を制御し、第３の定電流通路セットが一つ又は複数の定電流ロジック部品を含み、各定電流ロジック部品の第１端子がそれぞれ第３の給電機器の電源端子に接続され、各定電流ロジック部品の第３端子がそれぞれ制御回路の駆動制御ポートの第１のＢ表示制御サブポートに接続され、各定電流ロジック部品の第２端子がそれぞれＬＥＤ表示パネル中の対応する列の各ＬＥＤ粒子中の青色ランプの陰極に接続されてＬＥＤ表示パネルの青色ランプの表示を制御し、制御回路が、駆動制御ポートを介して駆動回路の第３端子に接続されて駆動回路のオン又はオフを制御する駆動制御回路を含み、駆動回路がＬＥＤ表示パネルの順序の表示を制御するＬＥＤディスプレイを提供する。
【００１１】
更に、駆動制御回路は、第１のＲ表示制御サブポートを介して第１の定電流通路セット中の各定電流ロジック部品のオンを制御し、各定電流ロジック部品がオンされて、それぞれ、定電流ロジック部品に対応するＬＥＤ表示パネルの列のＬＥＤ粒子中の赤色ランプに電流通路を提供することで、電界効果トランジスタに対応するＬＥＤ表示パネルの行のＬＥＤ粒子の赤色ランプの表示を制御し、また、駆動制御回路はさらに、第１のＧ表示制御サブポートを介して第２の定電流通路セット中の各定電流ロジック部品のオンを制御し、各定電流ロジック部品がオンされて、それぞれ、定電流ロジック部品に対応するＬＥＤ表示パネルの列のＬＥＤ粒子中の緑色ランプに電流通路を提供することで電界効果トランジスタに対応するＬＥＤ表示パネルの行のＬＥＤ粒子の緑色ランプの表示を制御し、また、駆動制御回路はさらに、第１のＢ表示制御サブポートを介して第３の定電流通路セット中の各定電流ロジック部品のオンを制御し、各定電流ロジック部品がオンされて、それぞれ、定電流ロジック部品に対応するＬＥＤ表示パネルの列のＬＥＤ粒子中の青色ランプに電流通路を提供することで電界効果トランジスタに対応するＬＥＤ表示パネルの行のＬＥＤ粒子の青色ランプの表示を制御する。
【００１２】
更に、表示駆動回路は、第１端子が給電機器のアース端子に接続され、第２端子がＬＥＤ表示パネルの陽極に接続されるスイッチ回路とをさらに含み、制御回路は、給電制御ポートを介してスイッチ回路の第３端子に接続されてスイッチ回路のオン又はオフを制御する給電制御回路を更に含み、ここで、スイッチ回路はＬＥＤ表示パネルへの給電を制御する。
【００１３】
更に、スイッチ回路は、一つ又は複数の電界効果トランジスタを含むサブスイッチ回路を含み、各電界効果トランジスタのソースはそれぞれ、給電機器のアース端子に接続され、各電界効果トランジスタのドレインはそれぞれ、ＬＥＤ表示パネル中の対応する行の各ＬＥＤ粒子の陰極に接続され、各電界効果トランジスタのゲートはそれぞれ、給電制御ポート中の対応する接続端子に接続される。
【００１４】
更に、給電制御回路は、各電界効果トランジスタのオンを制御することで、電界効果トランジスタに対応するＬＥＤ表示パネルの行のＬＥＤ粒子に給電する。
【００１５】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと、緑色ランプと、青色ランプとを含み、ここで、各行の第ｉ個のＬＥＤ粒子中の赤色ランプの陰極、緑色ランプの陰極、青色ランプの陰極は第ｉノードに並列接続され、それぞれ、スイッチ回路中の対応するＮ−ＭＯＳトランジスタのドレインに接続され、各行の各ノードは並列接続され、また、各列の各ＬＥＤ粒子の赤色ランプの陽極はそれぞれ並列接続されてＬＥＤ表示パネルの陽極の接続端子として、それぞれ、第１の定電流通路セット中の対応する一つの定電流ロジック部品の第２端子に接続され、各列の各ＬＥＤ粒子の緑色ランプの陽極はそれぞれ並列接続されてＬＥＤ表示パネルの陽極の一つの接続端子として、それぞれ、第２の定電流通路セット中の対応する一つの定電流ロジック部品の第２端子に接続され、各列の各ＬＥＤ粒子の青色ランプの陽極はそれぞれ並列接続されてＬＥＤ表示パネルの陽極の一つの接続端子として、それぞれ、第３の定電流通路セット中の対応する一つの定電流ロジック部品の第２端子に接続される。
【００１６】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ赤色ランプと、緑色ランプと、青色ランプとを含み、各行の各ＬＥＤ粒子中の赤色ランプの陰極、緑色ランプの陰極、青色ランプの陰極は並列接続され、それぞれ、スイッチ回路中の対応する一つのＮ−ＭＯＳトランジスタのドレインに接続され、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【００１７】
更に、スイッチ回路は第１のサブスイッチ回路と第２のサブスイッチ回路とを含み、第１のサブスイッチ回路が一つ又は複数の電界効果トランジスタを含み、各電界効果トランジスタのソースがそれぞれ給電機器のアース端子に接続され、各電界効果トランジスタのドレインがそれぞれＬＥＤ表示パネル中の対応する行の各ＬＥＤ粒子中の赤色ランプの陰極に接続され、各電界効果トランジスタのゲートがそれぞれ給電制御ポート中の対応する接続端子に接続されてＬＥＤ表示パネルの赤色ランプへの給電を制御し、また、第２のサブスイッチ回路が一つ又は複数の電界効果トランジスタを含み、各電界効果トランジスタのソースがそれぞれ給電機器のアース端子に接続され、各電界効果トランジスタのドレインがそれぞれＬＥＤ表示パネル中の対応する行の各ＬＥＤ粒子中の緑色ランプと青色ランプの陰極に接続され、各電界効果トランジスタのゲートはそれぞれ給電制御ポート中の対応する接続端子に接続されてＬＥＤ表示パネルの緑色ランプと青色ランプへの給電を制御する。
【００１８】
更に、給電制御回路は第１のサブスイッチ回路中の一つの電界効果トランジスタのオンを制御して、第１のサブスイッチ回路中の電界効果トランジスタに対応するＬＥＤ表示パネルの行のＬＥＤ粒子中の赤色ランプに給電し、また、給電制御回路はさらに、第２のスイッチ回路中の第１のサブスイッチ回路中の一つの電界効果トランジスタに対応する電界効果トランジスタのオンを制御して、第１のサブスイッチ回路中の電界効果トランジスタに対応するＬＥＤ表示パネルの行のＬＥＤ粒子中の緑色ランプと青色ランプに給電し、また、駆動制御回路は第２のＲ表示制御サブポートを介して第１の定電流通路セット中の各定電流ロジック部品のオンを制御し、各定電流ロジック部品はオンされた後、それぞれ、定電流ロジック部品に対応するＬＥＤ表示パネルの列のＬＥＤ粒子中の赤色ランプに電流通路を提供することで電界効果トランジスタに対応するＬＥＤ表示パネルの行のＬＥＤ粒子の赤色ランプの表示を制御し、また、駆動制御回路は更に第２のＧ表示制御サブポートを介して第２の定電流通路セット中の各定電流ロジック部品のオンを制御し、各定電流ロジック部品はオンされた後、それぞれ、定電流ロジック部品に対応するＬＥＤ表示パネルの列のＬＥＤ粒子中の緑色ランプに電流通路を提供することで電界効果トランジスタに対応するＬＥＤ表示パネルの行のＬＥＤ粒子の緑色ランプの表示を制御し、また、駆動制御回路は更に、第２のＢ表示制御サブポートを介して第３の定電流通路セット中の各定電流ロジック部品のオンを制御し、各定電流ロジック部品はオンされた後、それぞれ、定電流ロジック部品に対応するＬＥＤ表示パネルの列のＬＥＤ粒子中の青色ランプに電流通路を提供することで電界効果トランジスタに対応するＬＥＤ表示パネルの行のＬＥＤ粒子の青色ランプの表示を制御する。
【００１９】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ赤色ランプと、緑色ランプと、青色ランプとを含み、ここで、各行の第ｉ個のＬＥＤ粒子中の赤色ランプの陰極は第ｉノードに並列接続され、それぞれ第１のサブスイッチ回路中の対応する一つのＮ−ＭＯＳトランジスタのドレインに接続され、各行の各ノードは並列接続され、また、各行の第ｊ個のＬＥＤ粒子中の緑色ランプの陰極と青色ランプの陰極は第ｊノードに並列接続され、それぞれ、第２のサブスイッチ回路中の対応する一つのＮ−ＭＯＳトランジスタのドレインに接続され、各行の各ノードは並列接続され、また、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【００２０】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ赤色ランプと、緑色ランプと、青色ランプとを含み、ここで、各行の各ＬＥＤ粒子中の赤色ランプの陰極は並列接続され、それぞれ第１のサブスイッチ回路中の対応する一つのＮ−ＭＯＳトランジスタのドレインに接続され、各行の各ＬＥＤ粒子中の緑色ランプの陰極と青色ランプの陰極は並列接続され、それぞれ第２のサブスイッチ回路中の対応する一つのＮ−ＭＯＳトランジスタのドレインに接続され、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【００２１】
更に、ＬＥＤ表示パネル中のＬＥＤ粒子が赤色ランプと、緑色ランプと、青色ランプとを含み、赤色ランプ、緑色ランプ、青色ランプはＬＥＤ粒子に集積されるか、又は、赤色ランプ、緑色ランプ、青色ランプがそれぞれ独立してカプセル化された後にＬＥＤ粒子に設けられる。
【００２２】
本発明のＬＥＤディスプレイによると、駆動回路と制御回路を表示駆動回路に集積することによって、元のＬＥＤパネルの面積が不変である状況下、更に多い表示駆動回路を配置することができ、面積が一定であるＬＥＤディスプレイにおいて、ＬＥＤ粒子と表示駆動回路の数量の比を小さくし、リフレッシュレートを向上させ、且つ、駆動回路が第１の定電流通路セットと、第２の定電流通路セットと、第３の定電流通路セットとを含み、三つの定電流通路セットがそれぞれＬＥＤ表示パネル中のＭ行*Ｎ列のＬＥＤ粒子アレイ中のＲ／Ｇ／Ｂ原色の順序の表示を制御し、また、ＬＥＤ表示パネル中のＬＥＤ粒子の赤色ランプと青色／緑色ランプにそれぞれ異なる動作電圧を提供することで、ＬＥＤディスプレイの消費電力を低減できる。既存技術において、ＬＥＤディスプレイの制御回路が占めるＰＣＢ面積が大きく、リフレッシュレートが低い問題を解決し、ＬＥＤディスプレイの制御回路がパネルで占める面積が小さく、設計が簡単であって、リフレッシュレートが高く、消費電力が小さい効果を実現できる。
【図面の簡単な説明】
【００２３】
【図１ａ】図１ａは、既存技術に係わる三陽位一体型のＬＥＤ粒子のＬＥＤ駆動回路を独立して排列したことを示す図である。
【図１ｂ】図１ｂは、図１ａ中の点線部分Ａの一部拡大図である。
【図１ｃ】図１ｃは、図１ｂ中の点線部分Ａ１の一部拡大図である。
【図２ａ】図２ａは、既存技術に係わる六本足Ｒ／Ｇ／Ｂ三位一体型ＬＥＤのＬＥＤ駆動回路を独立して排列したことを示す図である。
【図２ｂ】図２ｂは、図２ａ中の点線部分Ｂの一部拡大図である。
【図２ｃ】図２ｃは、図２ｂ中の点線部分Ｂ１の一部拡大図である。
【図３ａ】図３ａは、既存技術に係わるＲ／Ｇ／Ｂ独立したＬＥＤのＬＥＤ駆動回路を独立して排列したことを示す図である。
【図３ｂ】図３ｂは、図３ａ中の点線部分Ｃの一部拡大図である。
【図３ｃ】図３ｃは、図３ｂ中の点線部分Ｃ１の一部拡大図である。
【図４】図４は、本発明の実施例１に係わるＬＥＤディスプレイの構造を示す図である。
【図５】図５は、本発明の好適な実施例に係わるＬＥＤディスプレイの構造を示す図である。
【図５ａ】図５ａは、本願の図５に示す好適な実施例に係わるＬＥＤディスプレイの詳細な構造を示す図である。
【図５ｂ】図５ｂは、図５ａ中の点線部分Ｄの一部拡大図である。
【図５ｃ】図５ｃは、図５ｂ中の点線部分Ｄ１の一部拡大図である。
【図６ａ】図６ａは、本発明の実施例２に係わるＬＥＤディスプレイの構造を示す図である。
【図６ｂ】図６ｂは、図６ａ中の点線部分Ｅの一部拡大図である。
【図６ｃ】図６ｃは、図６ｂ中の点線部分Ｅ１の一部拡大図である。
【図７ａ】図７ａは、本発明の実施例３に係わるＬＥＤディスプレイの構造を示す図である。
【図７ｂ】図７ｂは、図７ａ中の点線部分Ｆの一部拡大図である。
【図７ｃ】図７ｃは、図７ｂ中の点線部分Ｆ１の一部拡大図である。
【図７ｄ】図７ｄは、図７ａ中の点線部分Ｇのスイッチ回路の一部拡大図である。
【図７ｅ】図７ｅは、図７ｄ中の点線部分Ｇ１の一部拡大図である。
【図８ａ】図８ａは、本発明の実施例４に係わるＬＥＤディスプレイの構造を示す図である。
【図８ｂ】図８ｂは、図８ａ中の点線部分Ｈの一部拡大図である。
【図８ｃ】図８ｃは、図８ｂ中の点線部分Ｈ１の一部拡大図である。
【図９ａ】図９ａは、本発明の実施例５に係わるＬＥＤディスプレイの構造を示す図である。
【図９ｂ】図９ｂは、図９ａ中の点線部分Ｉの一部拡大図である。
【図９ｃ】図９ｃは、図９ｂ中の点線部分Ｉ１の一部拡大図である。
【図１０ａ】図１０ａは、本発明の実施例６に係わるＬＥＤディスプレイの構造を示す図である。
【図１０ｂ】図１０ｂは、図１０ａ中の点線部分Ｊの一部拡大図である。
【図１０ｃ】図１０ｃは、図１０ｂ中の点線部分Ｊ１の一部拡大図である。
【図１０ｄ】図１０ｄは、図１０ａ中の点線部分Ｋの一部拡大図である。
【図１０ｅ】図１０ｅは、図１０ｄ中の点線部分Ｋ１の一部拡大図である。
【図１１】図１１は、本発明の実施例に係わるＬＥＤ制御システムの構造を示す図である。
【発明を実施するための形態】
【００２４】
ここで説明する図面は本発明を理解させるためのもので、本発明の一部を構成し、本発明における実施例及びその説明は本発明を解釈し、本発明を不当に限定するものではない。
なお、衝突しない限り、本発明中の実施例及び実施例中の特徴を互いに組み合わせることができる。以下、図面を参照しつつ実施例を結合して本発明を詳しく説明する。
実施例１：
図４は、本発明の実施例１に係わるＬＥＤディスプレイの構造を示す図である。図４に示すように、当該ＬＥＤディスプレイは、ＬＥＤ表示パネル１０と、駆動回路３３と制御回路３５を含む表示駆動回路３０とを含み、駆動回路３３は第１の定電流通路セット３３１と、第２の定電流通路セット３３３と、第３の定電流通路セット３３５とを含み、第１の定電流通路セット３３１は一つ又は複数の定電流ロジック部品を含み、各定電流ロジック部品の第１端子はそれぞれ、第１の給電機器５１の電源端子に接続され、各定電流ロジック部品の第３端子はそれぞれ、制御回路の駆動制御ポートの第１のＲ表示制御サブポートに接続され、各定電流ロジック部品の第２端子はそれぞれ、ＬＥＤ表示パネル中の対応する列の各ＬＥＤ粒子中の赤色ランプの陰極に接続されてＬＥＤ表示パネルの赤色ランプの表示を制御し、また、第２の定電流通路セット３３３は一つ又は複数の定電流ロジック部品を含み、各定電流ロジック部品の第１端子はそれぞれ、第２の給電機器５３の電源端子に接続され、各定電流ロジック部品の第３端子はそれぞれ、制御回路の駆動制御ポートの第１のＧ表示制御サブポートに接続され、各定電流ロジック部品の第２端子はそれぞれ、ＬＥＤ表示パネル中の対応する列の各ＬＥＤ粒子中の緑色ランプの陰極に接続されてＬＥＤ表示パネルの緑色ランプの表示を制御し、また、第３の定電流通路セット３３５は一つ又は複数の定電流ロジック部品を含み、各定電流ロジック部品の第１端子はそれぞれ、第３の給電機器の電源端子に接続され、各定電流ロジック部品の第３端子はそれぞれ、制御回路の駆動制御ポートの第１のＢ表示制御サブポートに接続され、各定電流ロジック部品の第２端子はそれぞれ、ＬＥＤ表示パネル中の対応する列の各ＬＥＤ粒子中の青色ランプの陰極に接続されてＬＥＤ表示パネルの青色ランプの表示を制御し、また、制御回路は駆動制御ポートを介して駆動回路の第３端子に接続されて駆動回路のオン又はオフを制御する駆動制御回路を含み、ここで、駆動回路はＬＥＤ表示パネルの順序の表示を制御する。
【００２５】
本発明のＬＥＤディスプレイによると、駆動回路３３と制御回路３５を表示駆動回路３０に集積することで、元のＬＥＤ表示パネル１０の面積が不変である状況下、更に多い表示駆動回路３０を配置することができ、面積が一定であるＬＥＤディスプレイにおいて、ＬＥＤ粒子と表示駆動回路３０との数量の比を小さくし、リフレッシュレートを向上し、また、駆動回路３３が第１の定電流通路セット３３１、第２の定電流通路セット３３３、第３の定電流通路セット３３５を含み、三つの定電流通路セットがそれぞれＬＥＤ表示パネル１０中のＭ行*Ｎ列のＬＥＤ粒子アレイ中のＲ／Ｇ／Ｂ原色の順序の表示を制御し、ＬＥＤ表示パネル１０中のＬＥＤ粒子の赤色ランプと青色／緑色ランプにそれぞれ異なる動作電圧を提供することで、ＬＥＤディスプレイの消費電力を低減させる。既存技術においてＬＥＤディスプレイの制御回路３５が占めるＰＣＢ面積が大きく、リフレッシュレートが低い問題を解決し、ＬＥＤディスプレイの制御回路３５がパネルで占める面積が小さく、設計が簡単で、リフレッシュレートが高く、消費電力が小さい効果を実現できる。
【００２６】
ここで、図４に第１の給電機器と第２の給電機器と第３の給電機器は示されていなく、第１の給電機器の第１の定電流通路セットへの給電電圧が１.６Ｖであることが好ましく、当該電圧値は緑色発光ダイオード、青色発光ダイオードの典型的な動作電圧（３.４〜３.６Ｖ）から赤色発光ダイオードの典型的な動作電圧（１.８〜２Ｖ）を引いたものであって、且つ、第１の給電機器の第１の定電流通路セットへの給電電圧は第２の給電機器と第３の給電機器それぞれの第２の定電流通路セット／第３の定電流通路セットへの給電電圧より低い。
【００２７】
ＬＥＤディスプレイが、ＬＥＤ表示パネル１０と、スイッチ回路３１、駆動回路３３と制御回路３５を含む表示駆動回路３０とを含むことができ、ここで、スイッチ回路３１と駆動回路３３の中の一つの第１端子は給電機器の電源端子に接続され、他の第１端子は給電機器のアース端子に接続され、また、スイッチ回路３１と駆動回路３３の中の一つの第２端子はＬＥＤ表示パネル１０の陽極に接続され、他の第２端子はＬＥＤ表示パネル１０の陰極に接続され、制御回路３５は給電制御回路３５１と駆動制御回路３５３とを含み、給電制御回路３５１は給電制御ポートを介してスイッチ回路３１の第３端子に接続されてスイッチ回路３１のオン又はオフを制御し、駆動制御回路３５３は駆動制御ポートを介して駆動回路３３の第３端子に接続されて駆動回路３３のオン又はオフを制御する。ここで、スイッチ回路３１はＬＥＤ表示パネル１０への給電を制御し、駆動回路３３はＬＥＤ表示パネル１０の順序の表示を制御する。
【００２８】
スイッチ回路３１と、駆動回路３３と制御回路３５を表示駆動回路３０に集積することによって、元のＬＥＤパネル１０の面積が不変である状況下、更に多い表示駆動回路３０を配置することでき、面積が一定であるＬＥＤディスプレイにおいて、ＬＥＤ粒子と表示駆動回路３０との数量の比を小さくし、リフレッシュレートを向上し、また、ＬＥＤ表示パネル１０中のＭ行*Ｎ列のＬＥＤ粒子アレイと表示駆動回路３０との接続関係が一層明確であって、接続線路が少なく、ＰＣＢ設計難易度を低下させる。既存技術においてＬＥＤディスプレイの制御回路３５が占めるＰＣＢ面積が大きく、リフレッシュレートが低い問題を解決し、ＬＥＤディスプレイの制御回路３５がパネルで占める面積が小さく、設計が簡単で、リフレッシュレートが高い効果を実現できる。
【００２９】
図５は、本発明の好適な実施例に係わるＬＥＤディスプレイの構造を示す図であり、図５ａは本願の図５に示す好適な実施例に係わるＬＥＤディスプレイの詳細な構造を示す図で、図５ｂは図５ａ中の点線部分Ｄの一部拡大図で、図５ｃは図５ｂ中の点線部分Ｄ１の一部拡大図である。
【００３０】
図５に示すように、当該ディスプレイ中の表示駆動回路はスイッチ回路３１を更に含むことができ、ここで、スイッチ回路３１の第１端子は給電機器のアース端子に接続され、スイッチ回路３１の第２端子はＬＥＤ表示パネルの陽極に接続され、また、当該ディスプレイ中の制御回路はさらに給電制御回路を含み、給電制御回路は給電制御ポートを介してスイッチ回路の第３端子に接続されてスイッチ回路３１のオン又はオフを制御し、ここで、スイッチ回路３１はＬＥＤ表示パネルへの給電を制御する。
【００３１】
図５ａ、５ｂ、５ｃに示すように、スイッチ回路３１は一つのサブスイッチ回路を含むことができ、当該サブスイッチ回路は一つ又は複数の電界効果トランジスタを含み、ここで、各電界効果トランジスタのソースはそれぞれ給電機器の電源端子又はアース端子に接続され、各電界効果トランジスタのドレインはそれぞれＬＥＤ表示パネル１０中の対応する行の各ＬＥＤ粒子の陽極又は陰極に接続され、各電界効果トランジスタのゲートはそれぞれ給電制御ポート中の対応する接続端子に接続される。
【００３２】
本発明の上記実施例によると、駆動回路３３が一つの定電流通路セットを含むことができ、定電流通路セットが一つ又は複数の定電流ロジック部品を含み、各定電流ロジック部品の第１端子はそれぞれ給電機器の電源端子又はアース端子に接続され、各定電流ロジック部品の第２端子はそれぞれＬＥＤ表示パネル１０中の対応する列のＬＥＤ粒子の陽極又は陰極に接続され、各定電流ロジック部品の第３端子はそれぞれ駆動制御ポート中の対応する接続端子に接続される。
【００３３】
具体的に、給電制御回路３５１は各電界効果トランジスタのオンを制御して電界効果トランジスタに対応するＬＥＤ表示パネル１０の行のＬＥＤ粒子へ給電し、駆動制御回路３５３は定電流通路セット中の各定電流ロジック部品のオンを制御し、各定電流ロジック部品がオンされた後、それぞれ定電流ロジック部品に対応するＬＥＤ表示パネル１０の列のＬＥＤ粒子に電流通路を提供することでＬＥＤ粒子の順序の表示を制御する。
【００３４】
具体的に、電界効果トランジスタはＰ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、ここで、各行の第ｉ個のＬＥＤ粒子中の赤色ランプの陽極、緑色ランプの陽極、青色ランプの陽極は第ｉノードに並列接続され、それぞれスイッチ回路３１中の対応する一つのＰ−ＭＯＳトランジスタのドレインに接続され、各行の各ノードは並列接続され、また、各列の各ＬＥＤ粒子の赤色ランプの陰極はそれぞれ並列接続され、それぞれ定電流通路セット中の対応する一つの定電流ロジック部品の第２端子に接続され、各列の各ＬＥＤ粒子の緑色ランプの陰極はそれぞれ並列接続され、それぞれ定電流通路セット中の対応する一つの定電流ロジック部品の第２端子に接続され、各列の各ＬＥＤ粒子の青色ランプの陰極はそれぞれ並列接続され、それぞれ定電流通路セット中の対応する一つの定電流ロジック部品の第２端子に接続される。ここで、１≦ｉ≦Ｎで、ｉは自然数であって、赤色ランプ、緑色ランプ、青色ランプはそれぞれＲ／Ｇ／Ｂ原色発光ダイオードであることができる。
【００３５】
ここで、本発明の上記実施例において、図５ｂは図５ａ中の点線に囲まれた部分Ｄの一部拡大図で、図５ｃに示すＬＥＤ粒子は図５ｂ中の点線に囲まれた部分Ｄ１の一部拡大図で、図において１本足は公共陽極であって、２／３／４はそれぞれＢ／Ｇ／Ｒ三原色発光ダイオードの陰極である。
【００３６】
表示駆動回路３０はサブスイッチ回路と、定電流通路セットと、制御回路３５とを含む。上記サブスイッチ回路３１はＮ個のＰ−ＭＯＳトランジスタを含み、各Ｐ−ＭＯＳトランジスタのドレインをそれぞれ制御回路３５の出力リード中の一つのリードとし、Ｐ−ＭＯＳトランジスタのソースは表示駆動回路３０の給電端子（即ち、ＶＣＣ端子）に接続され、Ｐ−ＭＯＳトランジスタのゲートは制御回路３５の給電制御ポート中の一つの接続端子に接続され、また、定電流通路セットはＮ個の定電流ロジック部品（定電流ロジック回路とも呼ばれる）を含み、各定電流ロジック部品の第２端子（当該実施例においては、定電流ロジック部品の入力端子である）をそれぞれ表示駆動回路３０の入力リード中の一つとし、全ての定電流ロジック部品の第１端子（即ち、出力端子）の内部は互いに接続されて表示駆動回路３０のアース端子（即ち、ＧＮＤ端子）として給電機器のアース端子に接続され、定電流ロジック部品の第３端子（当該実施例においては、定電流ロジック部品の制御端子である）は制御回路３５の駆動制御ポートに接続されて駆動回路３３の定電流制御信号を受信する。
【００３７】
実施例１において、ＬＥＤ表示パネル１０（ＬＥＤセルとも呼ばれ、ＬＥＤセルプレートとも呼ばれる）はＭ行*Ｎ列のＬＥＤ粒子の行列排列を含み、単一行のＬＥＤ粒子の陽極は互いに接続されて第ｉノードに接続されて、各ノードをスイッチ回路３１中のサブスイッチ回路３１中の一つのＰ−ＭＯＳトランジスタのドレインに対応する出力リードに接続し、単一列のＬＥＤ粒子中の同一原色の陰極は互いに接続されて表示駆動回路３０の定電流通路セットの定電流ロジック部品の入力端子に接続され、即ち、単一列のＬＥＤ粒子中の赤色ランプ（即ち、Ｒ発光ダイオード）の共通陰極は互いに接続されて表示駆動回路３０の定電流通路セットの定電流ロジック部品の入力端子に接続され、単一列のＬＥＤ粒子中の緑色ランプ（即ち、Ｇ原色発光ダイオード）の共通陰極は互いに接続されて表示駆動回路３０の定電流通路セットの定電流ロジック部品の入力端子に接続され、単一列のＬＥＤ粒子中の青色ランプ（即ち、Ｂ原色発光ダイオード）の共通陰極は互いに接続されて表示駆動回路３０の定電流通路セットの定電流ロジック部品の入力端子に接続される。
【００３８】
上記ＬＥＤ表示パネル１０は表示駆動回路３０の制御を受けて、給電制御回路３５１は給電制御ポートを介してサブスイッチ回路３１（Ｐ−ＭＯＳ通路セットであることもできる）中の一つのＰ−ＭＯＳトランジスタをオン状態にし、ＬＥＤ表示パネル１０上の対応する行のＬＥＤ粒子の陽極に給電し、駆動制御回路３５３は駆動制御ポートを介して定電流制御信号を定電流通路セット中の各定電流ロジック部品に出力して各定電流ロジック部品をオンされた動作状態にすることで、対応する列のＬＥＤ粒子の原色陰極に電流通路を提供し、ＬＥＤセルの順序の表示を実現する。ここで、対応する列のＬＥＤ粒子の原色の陰極はＲ、Ｇ、Ｂ三原色の陰極を含み、即ち、それぞれ対応する列のＬＥＤ粒子の赤色ランプ、緑色ランプ、青色ランプの順序の表示を実現する。
【００３９】
本発明の上記実施例において、電界効果トランジスタはＰ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の各ＬＥＤ粒子中の赤色ランプの陽極、緑色ランプの陽極、青色ランプの陽極は並列接続されて、スイッチ回路３１中の対応する一つのＰ−ＭＯＳトランジスタのドレインに接続され、各列の各ＬＥＤ粒子の赤色ランプの陰極はそれぞれ並列接続され、それぞれ定電流通路セット中の対応する一つの定電流ロジック部品の第２端子に接続され、各列の各ＬＥＤ粒子の緑色ランプの陰極はそれぞれ並列接続され、それぞれ定電流通路セット中の対応する一つの定電流ロジック部品の第２端子に接続され、各列の各ＬＥＤ粒子の青色ランプの陰極はそれぞれ並列接続され、それぞれ定電流通路セット中の対応する一つの定電流ロジック部品の第２端子に接続される。
【００４０】
実施例１の技術案に基づいて、以下のような第１種の変形された実施形態が可能である。
ＬＥＤ表示パネル１０中の単一行のＬＥＤ粒子のＲ／Ｇ／Ｂ原色発光ダイオードの陽極は互いに接続されて表示駆動回路３０中のスイッチ回路３１中の一つのＰ−ＭＯＳトランジスタのドレインに対応する出力リードに接続され、単一列のＬＥＤ粒子中の同一原色の陰極は互いに接続されて表示駆動回路３０の定電流通路セットの定電流ロジック部品の入力端子に接続され、即ち、単一列のＬＥＤ粒子中のＲ原色発光ダイオードの共通陰極は互いに接続されて表示駆動回路３０の定電流通路セットの定電流ロジック部品の入力端子に接続され、単一列のＬＥＤ粒子中のＧ原色発光ダイオードの共通陰極は互いに接続されて表示駆動回路３０の定電流通路セットの定電流ロジック部品の入力端子に接続され、単一列のＬＥＤ粒子中の青色ランプＢ原色発光ダイオードの共通陰極は互いに接続されて表示駆動回路３０の定電流通路セットの定電流ロジック部品の入力端子に接続される。
【００４１】
このような変形形態において、表示駆動回路３０の制御方式は変更されず、変更されたのはただ、ＬＥＤ表示パネル１０中の単一行のＬＥＤ粒子の陽極の接続関係であって、当該変形形態において、単一行のＬＥＤ粒子のＲ／Ｇ／Ｂ原色発光ダイオードの陽極は直接に互いに接続されてスイッチ回路中の一つのＰ−ＭＯＳトランジスタのドレインに対応する出力リードに接続され、当該変形形態において、スイッチ回路３１、駆動回路３３と制御回路３５を表示駆動回路３０に集積することで、元のＬＥＤパネル１０の面積が不変である状況下、更に多い表示駆動回路３０を配置することでき、面積が一定であるＬＥＤディスプレイにおいて、ＬＥＤ粒子と表示駆動回路３０との数量の比を小さくし、リフレッシュレートを向上し、ＬＥＤ表示パネル１０中のＬＥＤ粒子アレイと表示駆動回路３０の接続関係が一層明確であって、接続線路が少なく、ＰＣＢ設計難易度を低下させる。
【００４２】
実施例１の技術案に基づいて、更に以下のような第２種の変形された実施形態が可能である。
電界効果トランジスタはＮ−ＭＯＳトランジスタであることもでき、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の第ｉ個のＬＥＤ粒子中の赤色ランプの陰極、緑色ランプの陰極、青色ランプの陰極は第ｉノードに並列接続され、各行の各ノードは並列接続され、スイッチ回路３１中の対応する一つのＮ−ＭＯＳトランジスタのドレインに接続され、また、各列の各ＬＥＤ粒子の赤色ランプの陽極はそれぞれ並列接続され、それぞれ定電流通路セット中の対応する一つの定電流ロジック部品の第２端子に接続され、各列の各ＬＥＤ粒子の緑色ランプの陽極はそれぞれ並列接続され、それぞれ定電流通路セット中の対応する一つの定電流ロジック部品の第２端子に接続され、各列の各ＬＥＤ粒子の青色ランプの陽極はそれぞれ並列接続され、それぞれ定電流通路セット中の対応する一つの定電流ロジック部品の第２端子に接続される。ここで、１≦ｉ≦Ｎで、ｉは自然数である。
【００４３】
具体的に、当該第２種の変形形態において、サブスイッチ回路がＮ個のＮ−ＭＯＳトランジスタを含み、各Ｎ−ＭＯＳトランジスタのドレインをそれぞれ制御回路３５の出力リード中の一つのリードとし、Ｎ−ＭＯＳトランジスタのソースは表示駆動回路３０のアース端子（即ち、ＧＮＤ端子）として給電機器のアース端子に接続され、Ｎ−ＭＯＳトランジスタのゲートは制御回路３５の給電制御ポート中の一つの接続端子に接続され、また、定電流通路セットはＮ個の定電流ロジック部品（定電流ロジック回路とも呼ばれる）を含み、各定電流ロジック部品の第２端子（即ち、入力端子）をそれぞれ表示駆動回路３０の入力リード中の一つとし、全ての定電流ロジック部品の第１端子（即ち、出力端子）の内部は互いに接続されて表示駆動回路３０の給電端子（即ち、ＶＣＣ端子）として給電機器の電源端子に接続され、定電流ロジック部品の第３端子（即ち、制御端子）は制御回路３５の表示制御ポートに接続されて駆動回路３３の定電流制御信号を受信する。
【００４４】
上記第２種の変形形態において、ＬＥＤ表示パネル１０（ＬＥＤセルとも呼ばれる）はＭ行*Ｎ列のＬＥＤ粒子の行列排列を含み、単一行のＬＥＤ粒子の陰極は互いに接続されて第ｉノードに接続されて、各ノードを表示駆動回路３０中のスイッチ回路３１中の一つのＮ−ＭＯＳトランジスタのドレインに対応する出力リードに接続し、単一列のＬＥＤ粒子中の同一原色の陽極は互いに接続されて表示駆動回路３０の定電流通路セットの定電流ロジック部品の入力端子に接続され、即ち、単一列のＬＥＤ粒子中のＲ原色発光ダイオードの共通陽極は互いに接続されて表示駆動回路３０の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の定電流通路セットの定電流ロジック部品の入力端子に接続される。
【００４５】
当該第２種の変形形態において、表示駆動回路３０中の給電制御回路３５１は給電制御ポートを介してサブスイッチ回路３１中の一つのＮ−ＭＯＳトランジスタをオン状態にして、ＬＥＤ表示パネル１０上の対応する行のＬＥＤ粒子の陽極に給電し、駆動制御回路３５３は駆動制御ポートを介して定電流制御信号を定電流通路セット中の各定電流ロジック部品に出力して、各定電流ロジック部品をオンされた動作状態にすることで、対応する列のＬＥＤ粒子の原色の陽極に電流通路を提供し、ＬＥＤセルの順序の表示を実現する。ここで、対応する列のＬＥＤ粒子の原色の陽極はＲ、Ｇ、Ｂ三原色の陽極を含み、即ち、それぞれ対応する列のＬＥＤ粒子の赤色ランプ、緑色ランプ、青色ランプの順序の表示を制御する。
【００４６】
実施例１の第２種の変形形態に示す技術案に基づいて、以下のような変形された実施形態が可能である。
電界効果トランジスタはＮ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の各ＬＥＤ粒子中の赤色ランプの陰極、緑色ランプの陰極、青色ランプの陰極は並列接続されて、スイッチ回路３１中の対応する一つのＮ−ＭＯＳトランジスタのドレインに接続され、各列の各ＬＥＤ粒子の赤色ランプの陽極はそれぞれ並列接続され、それぞれ定電流通路セット中の対応する一つの定電流ロジック部品の第２端子に接続され、各列の各ＬＥＤ粒子の緑色ランプの陽極はそれぞれ並列接続され、それぞれ定電流通路セット中の対応する一つの定電流ロジック部品の第２端子に接続され、各列の各ＬＥＤ粒子の青色ランプの陽極はそれぞれ並列接続され、それぞれ定電流通路セット中の対応する一つの定電流ロジック部品の第２端子に接続される。
【００４７】
具体的に、当該実施形態におけるＬＥＤ表示パネル１０中の単一行のＬＥＤ粒子の陰極は互いに接続されて表示駆動回路３０中のスイッチ回路３１中の一つのＮ−ＭＯＳトランジスタのドレインに対応する出力リードに接続され、単一列のＬＥＤ粒子中の同一原色の陽極は互いに接続されて表示駆動回路３０の定電流通路セットの定電流ロジック部品の入力端子に接続され、即ち、単一列のＬＥＤ粒子中の赤色ランプＲ原色発光ダイオードの共通陽極は互いに接続されて表示駆動回路３０の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の定電流通路セットの定電流ロジック部品の入力端子に接続される。
【００４８】
実施例１の技術案に基づいて、以下のような第３種の変形された実施形態が可能である。
当該実施形態において、駆動回路３３は第１の定電流通路セットと、第２の定電流通路セットと、第３の定電流通路セットとを含むことができ、第１の定電流通路セットは一つ又は複数の定電流ロジック部品を含み、各定電流ロジック部品の第１端子はそれぞれ給電機器の電源端子又はアース端子に接続され、各定電流ロジック部品の第３端子はそれぞれ駆動制御ポートの第１のＲ表示制御サブポートに接続され、各定電流ロジック部品の第２端子はそれぞれＬＥＤ表示パネル１０中の対応する列の各ＬＥＤ粒子中の赤色ランプの陽極又は陰極に接続されてＬＥＤ表示パネル１０の赤色ランプの表示を制御し、また、第２の定電流通路セットは一つ又は複数の定電流ロジック部品を含み、各定電流ロジック部品の第１端子はそれぞれ給電機器の電源端子又はアース端子に接続され、各定電流ロジック部品の第３端子はそれぞれ駆動制御ポートの第１のＧ表示制御サブポートに接続され、各定電流ロジック部品の第２端子はそれぞれＬＥＤ表示パネル１０中の対応する列の各ＬＥＤ粒子中の緑色ランプの陽極又は陰極に接続されてＬＥＤ表示パネル１０の緑色ランプの表示を制御し、また、第３の定電流通路セットは一つ又は複数の定電流ロジック部品を含み、各定電流ロジック部品の第１端子はそれぞれ給電機器の電源端子又はアース端子に接続され、各定電流ロジック部品の第３端子はそれぞれ駆動制御ポートの第１のＢ表示制御サブポートに接続され、各定電流ロジック部品の第２端子はそれぞれＬＥＤ表示パネル１０中の対応する列の各ＬＥＤ粒子中の青色ランプの陽極又は陰極に接続されてＬＥＤ表示パネル１０の青色ランプの表示を制御する。ここで、第１の定電流通路セットがＲ原色定電流通路セットで、第２の定電流通路セットがＧ原色定電流通路セットで、第３の定電流通路セットがＢ原色定電流通路セットであることができる。
【００４９】
具体的に、Ｒ原色定電流通路セットは一つ又は複数の定電流ロジック部品を含むことができ、これらの定電流ロジック部品の第２端子（即ち、入力端子）はＬＥＤ表示パネル１０中の対応する列のＬＥＤ粒子の赤色ランプの陰極（即ち、Ｒ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＲ表示制御サブポートに接続されて駆動制御回路３５３のＲ表示制御信号を受信し、また、Ｇ原色定電流通路セットは一つ又は複数の定電流ロジック部品を含むことができ、これらの定電流ロジック部品の第２端子（即ち、入力端子）はＬＥＤ表示パネル１０中の対応する列のＬＥＤ粒子の緑色ランプの陰極（即ち、Ｇ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＧ表示制御サブポートに接続されて駆動制御回路３５３のＧ表示制御信号を受信し、また、Ｂ原色定電流通路セットは一つ又は複数の定電流ロジック部品を含むことができ、これらの定電流ロジック部品の第２端子（即ち、入力端子）はＬＥＤ表示パネル１０中の対応する列のＬＥＤ粒子の青色ランプの陰極（即ち、Ｂ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＢ表示制御サブポートに接続されて駆動制御回路３５３のＢ表示制御信号を受信する。
【００５０】
本実施形態において、給電制御回路３５１は各電界効果トランジスタのオンを制御して、電界効果トランジスタに対応するＬＥＤ表示パネル１０の行のＬＥＤ粒子に給電し、駆動制御回路３５３は第１のＲ表示制御サブポートを介して第１の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の赤色ランプに電流通路を提供して電界効果トランジスタに対応するＬＥＤ表示パネル１０の行のＬＥＤ粒子の赤色ランプの表示を制御し、さらに、駆動制御回路３５３は、第１のＧ表示制御サブポートを介して第２の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の緑色ランプに電流通路を提供して電界効果トランジスタに対応するＬＥＤ表示パネル１０の行のＬＥＤ粒子の緑色ランプの表示を制御し、さらに、駆動制御回路３５３は第１のＢ表示制御サブポートを介して制御第３の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の青色ランプに電流通路を提供して電界効果トランジスタに対応するＬＥＤ表示パネル１０の行のＬＥＤ粒子の青色ランプの表示を制御する。
【００５１】
このような実施形態において、表示駆動回路３０の給電制御ポートは変更されていなく、駆動制御ポートが三つの子制御ポートを含み、それぞれ、第１の定電流通路セット／第２の定電流通路セット／第３の定電流通路セットのオン又はオフを制御することで、スイッチ回路と駆動回路がそれぞれＬＥＤ表示パネル中の単一行のＬＥＤ粒子の給電と列のＬＥＤ粒子の順序の表示を制御することができ、当該変形形態において、スイッチ回路３１、駆動回路３３と制御回路３５を表示駆動回路３０に集積し、駆動回路が３セットの定電流通路セットを含むことだけで、ＬＥＤ表示パネル１０の面積が不変である状況下で、更に多い表示駆動回路３０を配置することでき、面積が一定であるＬＥＤディスプレイにおいて、ＬＥＤ粒子と表示駆動回路３０との数量の比を小さくし、リフレッシュレートを向上し、ＬＥＤ表示パネル１０中のＬＥＤ粒子アレイと表示駆動回路３０との接続関係が一層明確であって、接続線路が少なく、ＰＣＢ設計難易度を低下させる。
【００５２】
当該実施形態において、電界効果トランジスタはＰ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の第ｉ個のＬＥＤ粒子中の赤色ランプの陽極、緑色ランプの陽極、青色ランプの陽極は第ｉノードに並列接続され、各行の各ノードは並列接続され、それぞれスイッチ回路３１中の対応する一つのＰ−ＭＯＳトランジスタのドレインに接続され、各列の各ＬＥＤ粒子の赤色ランプの陰極はそれぞれ並列接続され、それぞれ第１の定電流通路セット中の対応する一つの定電流ロジック部品の第２端子に接続され、各列の各ＬＥＤ粒子の緑色ランプの陰極はそれぞれ並列接続され、それぞれ第２の定電流通路セット中の対応する一つの定電流ロジック部品の第２端子に接続され、各列の各ＬＥＤ粒子の青色ランプの陰極はそれぞれ並列接続され、それぞれ第３の定電流通路セット中の対応する一つの定電流ロジック部品の第２端子に接続される。ここで、１≦ｉ≦Ｎで、ｉは自然数であって、ここで、赤色ランプ、緑色ランプ、青色ランプはそれぞれＲ／Ｇ／Ｂ原色発光ダイオードであることができる。
【００５３】
そして、ＬＥＤ表示パネル１０（ＬＥＤセルとも呼ばれる）はＭ行*Ｎ列のＬＥＤ粒子の行列排列を含み、単一行のＬＥＤ粒子の陽極は互いに接続されて第ｉノードに接続されて、各ノードを表示駆動回路３０中のスイッチ回路３１中の一つのＰ−ＭＯＳトランジスタのドレインに対応する出力リードに接続し、単一列のＬＥＤ粒子中の同一原色の陰極は互いに接続されて表示駆動回路３０の第１の定電流通路セットの定電流ロジック部品の入力端子に接続され、即ち、単一列のＬＥＤ粒子中のＲ原色発光ダイオードの共通陰極は互いに接続されて表示駆動回路３０の第２の定電流通路セットの定電流ロジック部品の入力端子に接続され、単一列のＬＥＤ粒子中のＧ原色発光ダイオードの共通陰極は互いに接続されて表示駆動回路３０の定電流通路セットの定電流ロジック部品の入力端子に接続され、単一列のＬＥＤ粒子中のＢ原色発光ダイオードの共通陰極は互いに接続されて表示駆動回路３０の第３の定電流通路セットの定電流ロジック部品の入力端子に接続される。
【００５４】
当該実施例において、表示駆動回路３０の給電制御回路３５１は給電制御ポートを介してサブスイッチ回路３１中の一つのＰ−ＭＯＳトランジスタをオン状態にし、ＬＥＤ表示パネル１０上の対応する行のＬＥＤ粒子の陽極に給電し、駆動制御回路３５３はそれぞれ第１のＲ表示制御サブポート／第１のＧ表示制御サブポート／第１のＢ表示制御サブポートを介して、Ｒ表示制御信号／Ｇ表示制御信号／Ｂ表示制御信号を第１の定電流通路セット／第２の定電流通路セット／第３の定電流通路セット中の各定電流ロジック部品に出力して、それぞれ三つの定電流通路セット中の各定電流ロジック部品をオンされた動作状態にすることで、対応する列のＬＥＤ粒子のＲ原色陰極、Ｇ原色陰極、Ｂ原色陰極に電流通路を提供し、ＬＥＤの順序の表示を実現する。ここで、対応する列のＬＥＤ粒子のＲ原色陰極、Ｇ原色陰極、Ｂ原色陰極はそれぞれ、対応する列のＬＥＤ粒子の赤色ランプ、緑色ランプ、青色ランプの陰極である。ここで、サブスイッチ回路はＰ−ＭＯＳ通路とも呼ばれる。
【００５５】
実施例１の第３種の変形された実施形態の技術案に基づいて、以下のような変形された実施形態が可能である。
電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の各ＬＥＤ粒子中の赤色ランプの陽極、緑色ランプの陽極、青色ランプの陽極は並列接続され、それぞれ、スイッチ回路３１中の対応する一つのＰ−ＭＯＳトランジスタのドレインに接続され、各列の各ＬＥＤ粒子の赤色ランプの陰極はそれぞれ並列接続され、それぞれ第１の定電流通路セット中の対応する一つの定電流ロジック部品の第２端子に接続され、各列の各ＬＥＤ粒子の緑色ランプの陰極はそれぞれ並列接続され、それぞれ第２の定電流通路セット中の対応する一つの定電流ロジック部品の第２端子に接続され、各列の各ＬＥＤ粒子の青色ランプの陰極はそれぞれ並列接続され、それぞれ第３の定電流通路セット中の対応する一つの定電流ロジック部品の第２端子に接続される。
【００５６】
具体的に、ＬＥＤ表示パネル１０中の単一行のＬＥＤ粒子の陽極は互いに接続されて表示駆動回路３０中のスイッチ回路３１中の一つのＰ−ＭＯＳトランジスタのドレインに対応する出力リードに接続され、単一列のＬＥＤ粒子中の同一原色の陰極は互いに接続されて表示駆動回路３０の第１の定電流通路セットの定電流ロジック部品の入力端子に接続され、即ち、単一列のＬＥＤ粒子中のＲ原色発光ダイオードの共通陰極は互いに接続されて表示駆動回路３０の第２の定電流通路セットの定電流ロジック部品の入力端子に接続され、単一列のＬＥＤ粒子中のＧ原色発光ダイオードの共通陰極は互いに接続されて表示駆動回路３０の定電流通路セットの定電流ロジック部品の入力端子に接続され、単一列のＬＥＤ粒子中のＢ原色発光ダイオードの共通陰極は互いに接続されて表示駆動回路３０の第３の定電流通路セットの定電流ロジック部品の入力端子に接続される。
【００５７】
当該実施形態において、実施例１の第３種の変形された実施形態の表示駆動回路３０の制御方式と同じで、給電制御回路３５１が給電制御ポートを介してスイッチ回路３１（即ち、Ｐ−ＭＯＳ通路セット）中の一つのＰ−ＭＯＳトランジスタをオン状態にして、ＬＥＤ表示パネル１０上の対応する行のＬＥＤ粒子の陽極に給電し、駆動制御回路３５３はそれぞれ第１のＲ表示制御サブポート／第１のＧ表示制御サブポート／第１のＢ表示制御サブポートを介して、Ｒ表示制御信号／Ｇ表示制御信号／Ｂ表示制御信号を第１の定電流通路セット／第２の定電流通路セット／第３の定電流通路セット中の各定電流ロジック部品に出力し、それぞれ、三つの定電流通路セット中の各定電流ロジック部品をオンされた動作状態にすることで、対応する列のＬＥＤ粒子のＲ原色陰極、Ｇ原色陰極、Ｂ原色陰極に電流通路を提供し、ＬＥＤの順序の表示を実現する。ここで、対応する列のＬＥＤ粒子のＲ原色陰極、Ｇ原色陰極、Ｂ原色陰極はそれぞれ対応する列のＬＥＤ粒子の赤色ランプ、緑色ランプ、青色ランプの陰極である。
【００５８】
実施例２：
図６ａ〜６ｃは本発明の実施例２に係わるＬＥＤディスプレイの構造を示す図である。図６ａに示すように、当該ＬＥＤディスプレイ中の電界効果トランジスタはＮ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の第ｉ個のＬＥＤ粒子中の赤色ランプの陰極、緑色ランプの陰極、青色ランプの陰極は第ｉノードに並列接続され、各行の各ノードは並列接続され、それぞれスイッチ回路３１中の対応する一つのＮ−ＭＯＳトランジスタのドレインに接続され、各列の各ＬＥＤ粒子の赤色ランプの陽極はそれぞれ並列接続されてＬＥＤ表示パネル１０の陽極の一つの接続端子としそれぞれ第１の定電流通路セット中の対応する一つの定電流ロジック部品の第２端子に接続され、各列の各ＬＥＤ粒子の緑色ランプの陽極はそれぞれ並列接続されてＬＥＤ表示パネル１０の陽極の一つの接続端子としてそれぞれ第２の定電流通路セット中の対応する一つの定電流ロジック部品の第２端子に接続され、各列の各ＬＥＤ粒子の青色ランプの陽極はそれぞれ並列接続されてＬＥＤ表示パネル１０の陽極の一つの接続端子としてそれぞれ第３の定電流通路セット中の対応する一つの定電流ロジック部品の第２端子に接続される。
【００５９】
具体的に、図６ａに示すように、Ｒ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＲとして給電機器の電源端子に接続され、定電流ロジック部品の第２端子（即ち、出力端子）はＬＥＤ表示パネル１０中の対応する列のＬＥＤ粒子の赤色ランプの陽極（当該実施例においてはＲ原色陽極である）に接続され、定電流ロジック部品の第３端子（即ち、制御端子）は第１のＲ表示制御ポートに接続され、また、Ｇ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＧとして給電機器の電源端子に接続され、定電流ロジック部品の第２端子（即ち、出力端子）はＬＥＤ表示パネル１０中の対応する列のＬＥＤ粒子の緑色ランプの陽極（当該実施例においてはＧ原色陽極である）に接続され、定電流ロジック部品の第３端子（即ち、制御端子）は第１のＧ表示制御ポートに接続され、また、Ｂ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＢとして給電機器の電源端子に接続され、定電流ロジック部品の第２端子（即ち、出力端子）はＬＥＤ表示パネル１０中の対応する列のＬＥＤ粒子の青色ランプの陽極（当該実施例においてはＢ原色陽極である）に接続され、定電流ロジック部品の第３端子（即ち、制御端子）は第１のＢ表示制御ポートに接続される。
図６ｃに示すＬＥＤ粒子は、図６ｂ中の点線に囲まれた部分Ｅ１の一部拡大図であ、４足は公共陰極であって、２／３／４はそれぞれＢ／Ｇ／Ｒ三原色の発光ダイオードの陽極である。
【００６０】
当該実施例において、表示駆動回路３０の外付けリードＶＣＣＲの給電電圧が外付けリードＶＣＣＧ／ＶＣＣＢの給電電圧より低いことができ、具体的に、ＶＣＣＲの給電電圧が１.６Ｖであることができ、当該電圧値は、緑色ランプ、青色ランプの動作電圧（３.４〜３.６Ｖ）から赤色ランプの動作電圧（１.８〜２Ｖ）を引いたもので、Ｒ／Ｇ／Ｂ原色発光ダイオードの給電電圧を差別化して制御することによって、ＬＥＤディスプレイの消費電力を低減する。
【００６１】
実施例２において、ＬＥＤ表示パネル１０（ＬＥＤセルとも呼ばれる）がＭ行*Ｎ列のＬＥＤ粒子の行列排列を含み、単一行のＬＥＤ粒子の陰極は互いに接続されて第ｉノードに接続されて、各ノードを表示駆動回路３０中のスイッチ回路３１中の一つのＮ−ＭＯＳトランジスタのドレインに対応する出力リードに接続し、単一列のＬＥＤ粒子中の同一原色の陽極は互いに接続されて表示駆動回路３０の第１の定電流通路セットの定電流ロジック部品の入力端子に接続され、即ち、単一列のＬＥＤ粒子中のＲ原色発光ダイオードの共通陽極は互いに接続されて表示駆動回路３０の第２の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。表示駆動回路３０の制御を受けて、給電制御回路３５１は給電制御ポートを介してサブスイッチ回路３１（当該サブスイッチ回路３１がＮ−ＭＯＳ通路セットであることができる）中の一つのＮ−ＭＯＳトランジスタをオン状態にし、ＬＥＤ表示パネル１０上の対応する行のＬＥＤ粒子の陽極に給電し、駆動制御回路３５３はそれぞれ第１のＲ表示制御サブポート／第１のＧ表示制御サブポート／第１のＢ表示制御サブポートを介して、Ｒ表示制御信号／Ｇ表示制御信号／Ｂ表示制御信号を第１の定電流通路セット／第２の定電流通路セット／第３の定電流通路セット中の各定電流ロジック部品に出力して、それぞれ、三つの定電流通路セット中の各定電流ロジック部品をオンされた動作状態にすることで、対応する列のＬＥＤ粒子のＲ原色陽極、Ｇ原色陽極、Ｂ原色陽極に電流通路を提供し、ＬＥＤの順序の表示を実現する。ここで、対応する列のＬＥＤ粒子のＲ原色陽極、Ｇ原色陽極、Ｂ原色陽極はそれぞれ、対応する列のＬＥＤ粒子の赤色ランプ、緑色ランプ、青色ランプの陽極である。
【００６２】
実施例３と実施例４：
図７ａ〜図７ｅは本発明の実施例３に係わるＬＥＤディスプレイの構造を示す図であり、図８ａ〜図８ｃは本発明の実施例４に係わるＬＥＤディスプレイの構造を示す図である。図７ｂと図８ｂはそれぞれ、２種類の実施形態における図７ａ中の点線で囲まれたＦと図８ａ中の点線で囲まれたＨの一部拡大図で、図７ｃ中のＬＥＤ粒子中の三原色発光ダイオードは直接に当該ＬＥＤ粒子に集積され、一方、図８ｃ中のＬＥＤ粒子中の三原色発光ダイオードはそれぞれカプセル化されてから当該ＬＥＤ粒子に集積され、その以外は、２種類の実施形態の回路接続関係は同じであることができる。ここで、図７ｃ中の各ＬＥＤ粒子の陽極は１、２、３の三つのリードを有し、それぞれ内部のＲ／Ｇ／Ｂ原色発光ダイオードの陽極に対応し、陰極は４、５、６の三つのリードを有し、それぞれ内部のＢ／Ｇ／Ｒ原色発光ダイオードの陰極に対応する。図８ｃに示すように、Ｒ／Ｇ／Ｂ原色発光ダイオードの陽極はリード１で、陰極はリード２で、Ｒ／Ｇ／Ｂ原色ダイオードは並行に熔接されて一つのＬＥＤ粒子（即ち、フルカラーピクセル）として用いられる。
【００６３】
具体的に、図７ｅと図８ａに示すように、電界効果トランジスタはＮ−ＭＯＳトランジスタであることもでき、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の各ＬＥＤ粒子中の赤色ランプの陰極、緑色ランプの陰極、青色ランプの陰極は並列接続され、それぞれスイッチ回路３１中の対応する一つのＮ−ＭＯＳトランジスタのドレインに接続され、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【００６４】
実施例３と実施例４において、ＬＥＤ表示パネル１０の単一行のＬＥＤ粒子の陽極は互いに接続されて表示駆動回路３０中のスイッチ回路３１中の一つのＮ−ＭＯＳトランジスタのドレインに対応する出力リードに接続され、単一行のＬＥＤ粒子の陰極は互いに接続されて第ｉノードに接続されて、各ノードを表示駆動回路３０中のスイッチ回路３１中の一つのＮ−ＭＯＳトランジスタのドレインに対応する出力リードに接続し、単一列のＬＥＤ粒子中の同一原色の陽極は互いに接続されて表示駆動回路３０の第１の定電流通路セットの定電流ロジック部品の入力端子に接続され、即ち、単一列のＬＥＤ粒子中のＲ原色発光ダイオードの共通陽極は互いに接続されて表示駆動回路３０の第２の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【００６５】
実施例３と実施例４の技術案に基づいて、以下のような第１種の変形された実施形態が可能である。
当該実施形態において、スイッチ回路３１は第１のサブスイッチ回路と第２のサブスイッチ回路を含み、第１のサブスイッチ回路と第２のサブスイッチ回路はそれぞれ、一つ又は複数の電界効果トランジスタを含み、且つ、第１のサブスイッチ回路と第２のサブスイッチ回路中の各電界効果トランジスタのソースはそれぞれ給電機器の電源端子又はアース端子に接続され、第１のサブスイッチ回路中の各電界効果トランジスタのドレインはそれぞれＬＥＤ表示パネル中の対応する行の各ＬＥＤ粒子中の赤色ランプの陽極又は陰極に接続され、各電界効果トランジスタのゲートはそれぞれ給電制御ポート中の対応する接続端子に接続されてＬＥＤ表示パネルの赤色ランプへの給電を制御し、また、第２のサブスイッチ回路中の各電界効果トランジスタのドレインはそれぞれＬＥＤ表示パネル中の対応する行の各ＬＥＤ粒子中の緑色ランプと青色ランプの陽極又は陰極に接続され、各電界効果トランジスタのゲートはそれぞれ給電制御ポート中の対応する接続端子に接続されてＬＥＤ表示パネルの緑色ランプと青色ランプへの給電を制御する。
【００６６】
当該実施形態において、駆動回路３３は一つの定電流通路セットを含むことができ、定電流通路セットは一つ又は複数の定電流ロジック部品を含み、各定電流ロジック部品の第１端子はそれぞれ給電機器の電源端子又はアース端子に接続され、各定電流ロジック部品の第２端子はそれぞれＬＥＤ表示パネル１０中の対応する列のＬＥＤ粒子の陽極又は陰極に接続され、各定電流ロジック部品の第３端子はそれぞれ駆動制御ポート中の対応する接続端子に接続される。
【００６７】
そして、当該実施例において、給電制御回路３５１が第１のサブスイッチ回路中の一つの電界効果トランジスタのオンを制御し、第１のサブスイッチ回路中の電界効果トランジスタに対応するＬＥＤ表示パネル１０の行のＬＥＤ粒子中の赤色ランプに給電し、給電制御回路３５１がさらに第２のサブスイッチ回路中の、第１のサブスイッチ回路中の一つの電界効果トランジスタに対応する電界効果トランジスタのオンを制御し、第１のサブスイッチ回路中の電界効果トランジスタに対応するＬＥＤ表示パネル１０の行のＬＥＤ粒子中の緑色ランプと青色ランプに給電し、さらに、駆動制御回路３５３は定電流通路セット中の各定電流ロジック部品のオンを制御し、各定電流ロジック部品はオンされた後、それぞれ、定電流ロジック部品に対応するＬＥＤ表示パネル１０の列のＬＥＤ粒子に電流通路を提供して電界効果トランジスタに対応するＬＥＤ表示パネル１０の行のＬＥＤ粒子の順序の表示を制御する。
【００６８】
スイッチ回路３１、駆動回路３３と制御回路３５を表示駆動回路３０に集積することで、元のＬＥＤパネル１０の面積が不変である状況下、更に多い表示駆動回路３０を配置することでき、面積が一定であるＬＥＤディスプレイにおいて、ＬＥＤ粒子と表示駆動回路３０との数量の比を小さくし、リフレッシュレートを向上させる。
【００６９】
当該実施例において、表示駆動回路３０の電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、ここで、各行の第ｉ個のＬＥＤ粒子中の赤色ランプの陽極は第ｉノードに並列接続され、各行の各ノードは並列接続され、それぞれ第１のサブスイッチ回路３１中の対応する一つのＰ−ＭＯＳトランジスタのドレインに接続され、各行の第ｊ個のＬＥＤ粒子中の緑色ランプの陽極と青色ランプの陽極は第ｊノードに並列接続され、各行の各ノードは並列接続され、第２のサブスイッチ回路３１中の対応する一つのＰ−ＭＯＳトランジスタのドレインに接続され、各列の各ＬＥＤ粒子の赤色ランプの陰極はそれぞれ並列接続され、それぞれ定電流通路セット中の対応する一つの定電流ロジック部品の第２端子に接続され、各列の各ＬＥＤ粒子の緑色ランプの陰極はそれぞれ並列接続され、それぞれ定電流通路セット中の対応する一つの定電流ロジック部品の第２端子に接続され、各列の各ＬＥＤ粒子の青色ランプの陰極はそれぞれ並列接続され、それぞれ定電流通路セット中の対応する一つの定電流ロジック部品の第２端子に接続される。ここで、１≦ｉ≦Ｎで、１≦ｊ≦Ｎで、ｉとｊはいずれも自然数であって、赤色ランプ、緑色ランプ、青色ランプはそれぞれＲ／Ｇ／Ｂ原色発光ダイオードであることができる。
【００７０】
当該実施形態において、表示駆動回路３０に第１のサブスイッチ回路と第２のサブスイッチ回路が集積され、二つのサブスイッチ回路がそれぞれ一つ又は複数のＰ−ＭＯＳトランジスタを含み、第１のサブスイッチ回路のＰ−ＭＯＳトランジスタのソースは互いに接続されて表示駆動回路３０の外付けリードＶＣＣＢとして給電機器の電源端子の一つの接続端子に接続され、ゲートは給電制御ポートの赤色給電制御信号に接続され、ドレインはＬＥＤ表示パネル１０の対応する行のＬＥＤ粒子の赤色ランプの陽極（即ち、対応する行のＬＥＤ粒子のＲ原色陽極）に接続され、また、第２のサブスイッチ回路のＰ−ＭＯＳトランジスタのソースは互いに接続されて表示駆動回路３０の外付けリードＶＣＣＡとして給電機器の電源端子の一つの接続端子に接続され、ゲートは給電制御ポートの緑色と青色給電制御信号に接続され、ドレインはＬＥＤ表示パネル１０の対応する行のＬＥＤ粒子の緑色ランプと青色ランプの陽極（即ち、対応する行のＬＥＤ粒子のＧ原色陽極とＢ原色陽極）に接続される。
【００７１】
駆動回路３３は実施例１の駆動回路と同じで、当該駆動回路３３が１セットの定電流通路セットを含むことができ、当該定電流通路セットは複数の定電流ロジック部品（定電流ロジック回路とも呼ばれる）を含み、各定電流ロジック部品の第２端子（即ち、入力端子）をそれぞれ表示駆動回路３０の入力リード中の一つとして、全ての定電流ロジック部品の第１端子（即ち、出力端子）の内部は互いに接続されて表示駆動回路３０のアース端子（即ち、ＧＮＤ端子）に接続され、定電流ロジック部品の第３端子（即ち、制御端子）は制御回路３５の駆動制御ポートに接続されて駆動回路３３の定電流制御信号を受信する。
【００７２】
当該実施形態において、ＬＥＤ表示パネル１０中の各行の第ｉ個のＬＥＤ粒子中の赤色ランプの陽極は第ｉノードに並列接続され、各行の各ノードは並列接続され、それぞれ、第１のサブスイッチ回路３１中の対応する一つのＰ−ＭＯＳトランジスタのドレインに接続され、各行の第ｊ個のＬＥＤ粒子中の緑色ランプの陽極と青色ランプの陽極は第ｊノードに並列接続され、各行の各ノードは並列接続され、それぞれ第２のサブスイッチ回路３１中の対応する一つのＰ−ＭＯＳトランジスタのドレインに接続され、単一列のＬＥＤ粒子中の同一原色の陰極は互いに接続されて表示駆動回路３０の定電流通路セットの定電流ロジック部品の入力端子に接続され、即ち、単一列のＬＥＤ粒子中の赤色ランプ（即ち、Ｒ原色表示ユニット）の共通陰極は互いに接続されて表示駆動回路３０の定電流通路セットの定電流ロジック部品の入力端子に接続され、単一列のＬＥＤ粒子中の緑色ランプ（即ち、Ｇ原色表示ユニット）の共通陰極は互いに接続されて表示駆動回路３０の定電流通路セットの定電流ロジック部品の入力端子に接続され、単一列のＬＥＤ粒子中の青色ランプ（即ち、Ｂ原色表示ユニット）の共通陰極は互いに接続されて表示駆動回路３０の定電流通路セットの定電流ロジック部品の入力端子に接続される。
【００７３】
上記実施形態において、第１のサブスイッチ回路と第２のサブスイッチ回路の給電電圧は異なることができ、ＶＣＣＢの給電電圧は１.６Ｖであることが好ましく、当該給電電圧はリードＶＣＣＡの給電電圧より低いことができ、当該１.６Ｖの電圧値は緑色発光ダイオード、青色発光ダイオードの典型的な動作電圧（３.４〜３.６Ｖ）から赤色発光ダイオードの典型的な動作電圧（１.８〜２Ｖ）を引いたものであって、これにより、Ｒ／Ｇ／Ｂ原色発光ダイオードの給電電圧を差別化して制御することによって、ＬＥＤディスプレイの消費電力を低減できる。
【００７４】
当該実施形態において、表示駆動回路３０の給電制御回路３５１は給電制御ポートを介してそれぞれ第１のサブスイッチ回路と第２のサブスイッチ回路中の対応する同一行の対応するＰ−ＭＯＳトランジスタをオン状態にし、それぞれ、ＬＥＤ表示パネル１０上の対応する行のＬＥＤ粒子のＲ原色発光ダイオードとＧ／Ｂ原色発光ダイオード陽極に給電し、駆動制御回路３５３はそれぞれ第１のＲ表示制御サブポート／第１のＧ表示制御サブポート／第１のＢ表示制御サブポートを介して、Ｒ表示制御信号／Ｇ表示制御信号／Ｂ表示制御信号を第１の定電流通路セット／第２の定電流通路セット／第３の定電流通路セット中の各定電流ロジック部品に出力して、それぞれ、三つの定電流通路セット中の各定電流ロジック部品をオンされた動作状態にすることで、対応する列のＬＥＤ粒子のＲ原色陰極、Ｇ原色陰極、Ｂ原色陰極に電流通路を提供し、ＬＥＤの順序の表示を実現する。
【００７５】
実施例３と実施例４の第１種の変形された実施形態の技術案に基づいて、以下のような変形形態が可能である。
ＬＥＤ表示パネル１０は以下の実施形態で実現することもできる：電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の各ＬＥＤ粒子中の赤色ランプの陰極は並列接続され、それぞれ第１のサブスイッチ回路中の対応する一つのＰ−ＭＯＳトランジスタのドレインに接続され、各行の各ＬＥＤ粒子中の緑色ランプの陽極と青色ランプの陽極は並列接続され、それぞれ第２のサブスイッチ回路中の対応する一つのＰ−ＭＯＳトランジスタのドレインに接続され、各列の各ＬＥＤ粒子の赤色ランプの陰極はそれぞれ並列接続され、それぞれ定電流通路セット中の対応する一つの定電流ロジック部品の第２端子に接続され、各列の各ＬＥＤ粒子の緑色ランプの陰極はそれぞれ並列接続され、それぞれ定電流通路セット中の対応する一つの定電流ロジック部品の第２端子に接続され、各列の各ＬＥＤ粒子の青色ランプの陰極はそれぞれ並列接続され、それぞれ定電流通路セット中の対応する一つの定電流ロジック部品の第２端子に接続される。
【００７６】
具体的に、ＬＥＤ表示パネル１０中の各行のＬＥＤ粒子中の赤色ランプの陽極は第１のサブスイッチ回路中の対応する一つのＰ−ＭＯＳトランジスタのドレインに並列接続され、各行のＬＥＤ粒子中の緑色ランプの陽極と青色ランプの陽極は第２のサブスイッチ回路中の対応する一つのＰ−ＭＯＳトランジスタのドレインに並列接続され、単一列のＬＥＤ粒子中の同一原色の陰極は互いに接続されて定電流通路セットの定電流ロジック部品の入力端子に接続され、即ち、単一列のＬＥＤ粒子中のＲ原色発光ダイオードの共通陰極は互いに接続されて表示駆動回路３０の定電流通路セットの定電流ロジック部品の入力端子に接続され、単一列のＬＥＤ粒子中のＧ原色発光ダイオードの共通陰極は互いに接続されて表示駆動回路３０の定電流通路セットの定電流ロジック部品の入力端子に接続され、単一列のＬＥＤ粒子中のＢ原色発光ダイオードの共通陰極は互いに接続されて表示駆動回路３０の定電流通路セットの定電流ロジック部品の入力端子に接続される。
【００７７】
実施例３と実施例４の第１種の変形された実施形態の技術案に基づいて、以下のような２種類の変形形態が可能である。
第１種類について、電界効果トランジスタはＮ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の各ＬＥＤ粒子中の赤色ランプの陰極は並列接続され、それぞれ第１のサブスイッチ回路中の対応する一つのＮ−ＭＯＳトランジスタのドレインに接続され、各行の各ＬＥＤ粒子中の緑色ランプの陰極と青色ランプの陰極は並列接続され、それぞれ第２のサブスイッチ回路中の対応する一つのＮ−ＭＯＳトランジスタのドレインに接続され、各列の各ＬＥＤ粒子の赤色ランプの陽極はそれぞれ並列接続され、それぞれ定電流通路セット中の対応する一つの定電流ロジック部品の第２端子に接続され、各列の各ＬＥＤ粒子の緑色ランプの陽極はそれぞれ並列接続され、それぞれ定電流通路セット中の対応する一つの定電流ロジック部品の第２端子に接続され、各列の各ＬＥＤ粒子の青色ランプの陽極はそれぞれ並列接続され、それぞれ定電流通路セット中の対応する一つの定電流ロジック部品の第２端子に接続される。
【００７８】
第２種類について、電界効果トランジスタはＮ−ＭＯＳトランジスタであって、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の第ｉ個のＬＥＤ粒子中の赤色ランプの陰極は第ｉノードに並列接続され、各行の各ノードは並列接続され、それぞれ第１のサブスイッチ回路３１中の対応する一つのＮ−ＭＯＳトランジスタのドレインに接続され、各行の第ｊ個のＬＥＤ粒子中の緑色ランプの陰極と青色ランプの陰極は第ｊノードに並列接続され、各行の各ノードは並列接続され、第２のサブスイッチ回路３１中の対応する一つのＮ−ＭＯＳトランジスタのドレインに接続され、各列の各ＬＥＤ粒子の赤色ランプの陽極はそれぞれ並列接続され、それぞれ定電流通路セット中の対応する一つの定電流ロジック部品の第２端子に接続され、各列の各ＬＥＤ粒子の緑色ランプの陽極はそれぞれ並列接続され、それぞれ定電流通路セット中の対応する一つの定電流ロジック部品の第２端子に接続され、各列の各ＬＥＤ粒子の青色ランプの陽極はそれぞれ並列接続され、それぞれ定電流通路セット中の対応する一つの定電流ロジック部品の第２端子に接続される。
【００７９】
当該実施例において、表示駆動回路３０に第１のサブスイッチ回路と第２のサブスイッチ回路が集積され、二つのサブスイッチ回路３１がそれぞれ一つ又は複数のＮ−ＭＯＳトランジスタを含み、第１のサブスイッチ回路のＮ−ＭＯＳトランジスタのソースが互いに接続されて表示駆動回路３０の外付けリードＧＮＤとして給電機器の電源端子の一つの接続端子に接続され、ゲートは給電制御ポートの赤色給電制御信号に接続され、ドレインはＬＥＤ表示パネル１０の対応する行のＬＥＤ粒子の赤色ランプの陽極（即ち、対応する行のＬＥＤ粒子のＲ原色陽極）に接続され、第２のサブスイッチ回路のＮ−ＭＯＳトランジスタのソースは互いに接続されて表示駆動回路３０の外付けリードＧＮＤとして給電機器の電源端子の一つの接続端子に接続され、ゲートは給電制御ポートの緑色と青色給電制御信号に接続され、ドレインはＬＥＤ表示パネル１０の対応する行のＬＥＤ粒子の緑色ランプと青色ランプの陽極（即ち、対応する行のＬＥＤ粒子のＧ原色陽極とＢ原色陽極）に接続される。
【００８０】
駆動回路３３は実施例１の駆動回路３３と同じであることができ、当該駆動回路３３は１セットの定電流通路セットを含み、当該定電流通路セットは複数の定電流ロジック部品（定電流ロジック回路とも呼ばれる）を含み、各定電流ロジック部品の第２端子（即ち、入力端子）をそれぞれ表示駆動回路３０の入力リード中の一つとし、全ての定電流ロジック部品の第１端子（即ち、出力端子）の内部は互いに接続されて表示駆動回路３０のＶＣＣ端子として給電機器の電源端子に接続され、定電流ロジック部品の第３端子（即ち、制御端子）は制御回路３５の駆動制御ポートに接続されて駆動回路３３の定電流制御信号を受信する。
【００８１】
具体的に、当該変形形態における第１種類の実施形態において、各行の第ｉ個のＬＥＤ粒子中の赤色ランプの陰極が第ｉノードに並列接続され、各行の各ノードは並列接続され、それぞれ第１のサブスイッチ回路中の対応する一つのＮ−ＭＯＳトランジスタのドレインに接続され、各行の第ｊ個のＬＥＤ粒子中の緑色ランプの陰極と青色ランプの陰極は第ｊノードに並列接続され、各行の各ノードは並列接続され、第２のサブスイッチ回路中の対応する一つのＮ−ＭＯＳトランジスタのドレインに接続され、また、単一列のＬＥＤ粒子中のＲ原色発光ダイオードの共通陽極は互いに接続されて定電流通路セットの定電流ロジック部品の入力端子に接続され、単一列のＬＥＤ粒子中のＧ原色発光ダイオードの共通陽極は互いに接続されて定電流通路セットの定電流ロジック部品の入力端子に接続され、単一列のＬＥＤ粒子中のＢ原色発光ダイオードの共通陽極は互いに接続されて定電流通路セットの定電流ロジック部品の入力端子に接続される。
【００８２】
第２種類の実施形態において、各行の各ＬＥＤ粒子中の赤色ランプの陰極の内部は互いに接続されてそれぞれ第１のサブスイッチ回路中の対応する一つのＮ−ＭＯＳトランジスタのドレインに接続され、各行の各ＬＥＤ粒子中の緑色と青色ランプの陰極は互いに接続されてそれぞれ第２のサブスイッチ回路中の対応する一つのＮ−ＭＯＳトランジスタのドレインに接続され、また、単一列のＬＥＤ粒子中のＲ原色発光ダイオードの共通陽極は互いに接続されて表示駆動回路３０の定電流通路セットの定電流ロジック部品の入力端子に接続され、単一列のＬＥＤ粒子中のＧ原色発光ダイオードの共通陽極は互いに接続されて定電流通路セットの定電流ロジック部品の入力端子に接続され、単一列のＬＥＤ粒子中のＢ原色発光ダイオードの共通陽極は互いに接続されて定電流通路セットの定電流ロジック部品の入力端子に接続される。
【００８３】
実施例５と実施例６：
具体的に、表示駆動回路３０のスイッチ回路３１は第１のサブスイッチ回路と第２のサブスイッチ回路を含み、駆動回路３３は第１の定電流通路セットと、第２の定電流通路セットと、第３の定電流通路セットとを含み、第１のサブスイッチ回路と第２のサブスイッチ回路の構造は実施例１の第１種の実施形態中のものと同じであって、第１の定電流通路セットは一つ又は複数の定電流ロジック部品を含むことができ、各定電流ロジック部品の第１端子はそれぞれ給電機器の電源端子又はアース端子に接続され、各定電流ロジック部品の第３端子はそれぞれ駆動制御ポートの第１のＲ表示制御サブポートに接続され、各定電流ロジック部品の第２端子はそれぞれＬＥＤ表示パネル１０中の対応する列の各ＬＥＤ粒子中の赤色ランプの陽極又は陰極に接続されてＬＥＤ表示パネル１０の赤色ランプの表示を制御し、また、第２の定電流通路セットは一つ又は複数の定電流ロジック部品を含み、各定電流ロジック部品の第１端子はそれぞれ給電機器の電源端子又はアース端子に接続され、各定電流ロジック部品の第３端子はそれぞれ駆動制御ポートの第１のＧ表示制御サブポートに接続され、各定電流ロジック部品の第２端子はそれぞれＬＥＤ表示パネル１０中の対応する列の各ＬＥＤ粒子中の緑色ランプの陽極又は陰極に接続されてＬＥＤ表示パネル１０の緑色ランプの表示を制御し、また、第３の定電流通路セットは一つ又は複数の定電流ロジック部品を含み、各定電流ロジック部品の第１端子はそれぞれ給電機器の電源端子又はアース端子に接続され、各定電流ロジック部品の第３端子はそれぞれ駆動制御ポートの第１のＢ表示制御サブポートに接続され、各定電流ロジック部品の第２端子はそれぞれＬＥＤ表示パネル１０中の対応する列の各ＬＥＤ粒子中の青色ランプの陽極又は陰極に接続されてＬＥＤ表示パネル１０の青色ランプの表示を制御する。ここで、第１の定電流通路セットはＲ原色定電流通路セットで、第２の定電流通路セットはＧ原色定電流通路セットで、第３の定電流通路セットはＢ原色定電流通路セットであることができる。
【００８４】
具体的に、制御回路３５中の給電制御回路３５１は第１のサブスイッチ回路中の一つの電界効果トランジスタのオンを制御し、第１のサブスイッチ回路中の電界効果トランジスタに対応するＬＥＤ表示パネル１０の行のＬＥＤ粒子中の赤色ランプに給電し、さらに、給電制御回路３５１は第２のサブスイッチ回路中の第１のサブスイッチ回路中の各電界効果トランジスタに対応する電界効果トランジスタのオンを制御し、第１のサブスイッチ回路中の電界効果トランジスタに対応するＬＥＤ表示パネル１０の行のＬＥＤ粒子中の緑色ランプと青色ランプに給電し、さらに、駆動制御回路３５３は第１のＲ表示制御サブポートを介して第１の定電流通路セット中の各定電流ロジック部品のオンを制御し、各定電流ロジック部品はオンされた後、それぞれ、定電流ロジック部品に対応するＬＥＤ表示パネル１０の列のＬＥＤ粒子中の赤色ランプに電流通路を提供して電界効果トランジスタに対応するＬＥＤ表示パネル１０の行のＬＥＤ粒子の赤色ランプの表示を制御し、さらに、駆動制御回路３５３は第１のＧ表示制御サブポートを介して制御第２の定電流通路セット中の各定電流ロジック部品のオンを制御し、各定電流ロジック部品はオンされた後、それぞれ、定電流ロジック部品に対応するＬＥＤ表示パネル１０の列のＬＥＤ粒子中の緑色ランプに電流通路を提供して電界効果トランジスタに対応するＬＥＤ表示パネル１０の行のＬＥＤ粒子の緑色ランプの表示を制御し、また、駆動制御回路３５３は第１のＢ表示制御サブポートを介して第３の定電流通路セット中の各定電流ロジック部品のオンを制御し、各定電流ロジック部品はオンされた後、それぞれ、定電流ロジック部品に対応するＬＥＤ表示パネル１０の列のＬＥＤ粒子中の青色ランプに電流通路を提供して電界効果トランジスタに対応するＬＥＤ表示パネル１０の行のＬＥＤ粒子の青色ランプの表示を制御する。
【００８５】
ここで、上記実施例における３セットの定電流通路セットはそれぞれ、ＬＥＤ表示パネル１０上の赤色ランプ、緑色ランプ、青色ランプ（Ｒ／Ｇ／Ｂ三原色発光ダイオードであることができる）の定電流表示を制御し、スイッチ回路３１中の第１のサブスイッチ回路３１と第２のサブスイッチ回路３１（二つのサブスイッチ回路３１はそれぞれ１セットＰ−ＭＯＳトランジスタからなる通路であることができ、Ｐ−ＭＯＳ通路と略称）、それぞれＬＥＤ表示パネル１０上のＲ／Ｇ／Ｂ三原色ダイオードへの給電を制御し、表示駆動回路３０中の給電制御回路３５１と駆動制御回路３５３はそれぞれスイッチ回路３１と駆動回路３３の動作状態を制御する。
【００８６】
対応に、給電制御ポートは第１の給電制御ポートと第２の給電制御ポートを含み、第１の給電制御ポートは第１のサブスイッチ回路（即ち、図９に示すＶＣＣＢへ給電するＰ−ＭＯＳ通路セット）への第１の給電制御信号の送信に用いられ、第２の給電制御ポートは第２のサブスイッチ回路（即ち、ＶＣＣＡへ給電するＰ−ＭＯＳ通路セット）への第２の給電制御信号の送信に用いられ、また、駆動制御ポートは第２のＲ／Ｇ／Ｂ表示制御サブポートを含み、それぞれ、Ｒ／Ｇ／Ｂ原色定電流通路セットへ第２のＲ／Ｇ／Ｂ表示制御信号を送信する。
【００８７】
図９ａ〜図９ｃは、本発明の実施例７に係わるＬＥＤディスプレイの構造を示す図であり、図１０ａ〜図１０ｅは、本発明の実施例７に係わるＬＥＤディスプレイの構造を示す図である。図９ｂと１０ｂはそれぞれ２種類の実施形態における図９ａ中の点線で囲まれたＩと図１０ａ中の点線で囲まれたＪの一部拡大図で、図９ｃ中のＬＥＤ粒子中の三原色発光ダイオードは直接に当該ＬＥＤ粒子に集積されていて、図１０ｃ中のＬＥＤ粒子中の三原色発光ダイオードはそれぞれカプセル化されてから当該ＬＥＤ粒子に集積され、この点以外は、２種類の実施形態の回路接続関係は同じである。ここで、図９ｃと図９ｂ中の各ＬＥＤ粒子の陽極は１、２、３の三つのリードを有し、内部のＲ／Ｇ／Ｂ原色発光ダイオードの陽極に対応し、陰極は４、５、６の三つのリードを有し、それぞれ内部のＢ／Ｇ／Ｒ原色発光ダイオードの陰極に対応する。図１０ｃに示すように、Ｒ／Ｇ／Ｂ原色発光ダイオードの陽極はリード１で、陰極はリード２で、Ｒ／Ｇ／Ｂ原色ダイオードは並行に熔接されて一つのＬＥＤ粒子（即ち、フルカラーピクセル）として用いられる。
【００８８】
具体的に、表示駆動３０に３セットの定電流通路セットが集積され、それぞれＬＥＤ表示パネル１０上のＲ／Ｇ／Ｂ三原色ダイオードの定電流表示を制御し、２セットのＰ−ＭＯＳ通路が集積され、それぞれＬＥＤセルプレート上のＲ／Ｇ／Ｂ三原色ダイオードの給電を制御し、制御回路３５が集積されて定電流通路セット及びＰ−ＭＯＳ通路の協力動作を制御する。
【００８９】
実施例５と実施例６において、図１０ｄに示すように、図１０ａ中の点線で囲まれたＫの電界効果トランジスタはＰ−ＭＯＳトランジスタであることができ、図１０ｅに図１０ｄ中の点線で囲まれたＫ１のＰ−ＭＯＳトランジスタの構造を示し、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の各ＬＥＤ粒子中の赤色ランプの陽極は並列接続され、それぞれ第１のサブスイッチ回路中の対応する一つのＰ−ＭＯＳトランジスタのドレインに接続され、各行の各ＬＥＤ粒子中の緑色ランプの陽極と青色ランプの陽極は並列接続されてＬＥＤ表示パネル１０の陽極の一つの接続端子として第２のサブスイッチ回路中の対応する一つのＰ−ＭＯＳトランジスタのドレインに接続され、各列の各ＬＥＤ粒子の赤色ランプの陰極はそれぞれ並列接続され、それぞれ第１の定電流通路セット中の対応する一つの定電流ロジック部品の第２端子に接続され、各列の各ＬＥＤ粒子の緑色ランプの陰極はそれぞれ並列接続され、それぞれ第２の定電流通路セット中の対応する一つの定電流ロジック部品の第２端子に接続され、各列の各ＬＥＤ粒子の青色ランプの陰極はそれぞれ並列接続され、それぞれ第３の定電流通路セット中の対応する一つの定電流ロジック部品の第２端子に接続される。
【００９０】
第１のサブスイッチ回路は一つ又は複数のＰ−ＭＯＳトランジスタを含み、これらのＰ−ＭＯＳトランジスタのソースは表示駆動回路３０（３０２４）の外付けリードＶＣＣＢに接続され、ゲートは第１の給電制御ポートに接続され、ドレインはＬＥＤ表示パネル１０の対応する行のＬＥＤ粒子のＲ原色陽極（図９ａにおいて単一行のＬＥＤ粒子であるが、単一行のＬＥＤ粒子でないこともできる）に接続され、また、第２のサブスイッチ回路は一つ又は複数のＰ−ＭＯＳトランジスタを含み、これらのＰ−ＭＯＳトランジスタのソースは表示駆動回路３０（３０２４）の外付けリードＶＣＣＡに接続され、ゲートは第２の給電制御ポートに接続され、ドレインはＬＥＤ表示パネル１０の対応する行のＬＥＤ粒子のＧとＢ原色陽極（図９ａにおいて単一行のＬＥＤ粒子であるが、単一行のＬＥＤ粒子でないこともできる）に接続される。
【００９１】
そして、Ｒ原色定電流通路セットは一つ又は複数の定電流ロジック部品を含むことができ、これらの定電流ロジック部品の入力端子はＬＥＤ表示パネル１０の対応する列のＬＥＤ粒子のＲ原色陰極に接続され、定電流ロジック部品の出力端子は表示駆動回路３０の外付けリードＧＮＤに接続され、定電流ロジック回路の制御端子は第１のＲ表示制御サブポートに接続され、また、Ｇ原色定電流通路セットは一つ又は複数の定電流ロジック部品を含むことができ、これらの定電流ロジック部品の入力端子はＬＥＤ表示パネル１０の対応する列のＬＥＤ粒子のＧ原色陰極に接続され、定電流ロジック部品の出力端子は表示駆動回路３０の外付けリードＧＮＤに接続され、定電流ロジック回路の制御端子は第１のＧ表示制御サブポートに接続され、また、Ｂ原色定電流通路セットは一つ又は複数の定電流ロジック部品を含むことができ、これらの定電流ロジック部品の入力端子はＬＥＤ表示パネル１０の対応する列のＬＥＤ粒子のＢ原色陰極に接続され、定電流ロジック部品の出力端子は表示駆動回路３０の外付けリードＧＮＤに接続され、定電流ロジック回路の制御端子は第１のＢ表示制御サブポートに接続される。
【００９２】
表示駆動回路３０の制御で、給電制御回路３５１は給電制御ポートを介して、第１のサブスイッチ回路３１と第２のサブスイッチ回路３１中の対応する同一行の対応する二つのＰ−ＭＯＳトランジスタをオン状態にし、それぞれ、ＬＥＤ表示パネル１０上の対応する行のＬＥＤ粒子のＲ原色発光ダイオードとＧ／Ｂ原色発光ダイオード陽極に給電し、駆動制御回路３５３はそれぞれ、第２のＲ表示制御サブポート／第２のＧ表示制御サブポート／第２のＢ表示制御サブポートを介して、Ｒ表示制御信号／Ｇ表示制御信号／Ｂ表示制御信号を第１の定電流通路セット／第２の定電流通路セット／第３の定電流通路セット中の各定電流ロジック部品に出力し、それぞれ、三つの定電流通路セット中の各定電流ロジック部品をオンされた動作状態にすることで、対応する列のＬＥＤ粒子のＲ原色陰極、Ｇ原色陰極、Ｂ原色陰極に電流通路を提供し、ＬＥＤの順序の表示を実現する。
【００９３】
上記実施形態において、第１のサブスイッチ回路と第２のサブスイッチ回路の給電電圧は異なることができ、ＶＣＣＢの給電電圧は１.６Ｖであることが好ましく、当該給電電圧はリードＶＣＣＡの給電電圧より低いことができ、当該１.６Ｖの電圧値は緑色、青色発光ダイオードの典型的な動作電圧（３.４〜３.６Ｖ）から赤色発光ダイオードの典型的な動作電圧（１.８〜２Ｖ）を引いたものであって、これにより、Ｒ／Ｇ／Ｂ原色発光ダイオードの給電電圧を差別化して制御することによって、ＬＥＤディスプレイの消費電力を低減できる。
【００９４】
そして、実施例５と実施例６の実施形態に基づいて、以下のような変形が可能である。
ＬＥＤディスプレイ中の電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ赤色ランプと、緑色ランプと、青色ランプとを含み、各行の第ｉ個のＬＥＤ粒子中の赤色ランプの陽極は第ｉノードに並列接続され、各行の各ノードは並列接続され、第１のサブスイッチ回路３１中の対応する一つのＰ−ＭＯＳトランジスタのドレインに接続され、各行の第ｊ個のＬＥＤ粒子中の緑色ランプの陽極と青色ランプの陽極は第ｊノードに並列接続され、各行の各ノードは並列接続され、それぞれ第２のサブスイッチ回路３１中の対応する一つのＰ−ＭＯＳトランジスタのドレインに接続され、各列の各ＬＥＤ粒子の赤色ランプの陰極はそれぞれ並列接続され、それぞれ第１の定電流通路セット中の対応する一つの定電流ロジック部品の第２端子に接続され、各列の各ＬＥＤ粒子の緑色ランプの陰極はそれぞれ並列接続され、それぞれ第２の定電流通路セット中の対応する一つの定電流ロジック部品の第２端子に接続され、各列の各ＬＥＤ粒子の青色ランプの陰極はそれぞれ並列接続され、それぞれ第３の定電流通路セット中の対応する一つの定電流ロジック部品の第２端子に接続される。
【００９５】
更に、表示駆動回路３０の外付けリードＶＣＣＢの給電電圧は外付けリードＶＣＣＡの給電電圧より低く、外付けリードＶＣＣＢの給電電圧は１.６Ｖであることが好ましく、当該電圧値は緑色、青色発光ダイオードの動作電圧（３.４〜３.６Ｖ）から赤色発光ダイオードの典型的な動作電圧（１.８〜２Ｖ）を引いたものであって、Ｒ／Ｇ／Ｂ原色発光ダイオードの給電電圧を差別化して制御することによって、ＬＥＤディスプレイの消費電力を低減できる。
【００９６】
実施例５と実施例６の実施形態に基づいて、以下のような２種類の変形形態が可能である。
電界効果トランジスタはＮ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、各行の第ｉ個のＬＥＤ粒子中の赤色ランプの陰極は第ｉノードに並列接続され、各行の各ノードは並列接続され、それぞれ第１のサブスイッチ回路３１中の対応する一つのＮ−ＭＯＳトランジスタのドレインに接続され、各行の第ｊ個のＬＥＤ粒子中の緑色ランプの陰極と青色ランプの陰極は第ｊノードに並列接続され、各行の各ノードは並列接続され、第２のサブスイッチ回路３１中の対応する一つのＮ−ＭＯＳトランジスタのドレインに接続され、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【００９７】
具体的に、当該実施例において、第１のサブスイッチ回路は一つ又は複数のＮ−ＭＯＳトランジスタを含み、これらのＮ−ＭＯＳトランジスタのソースは表示駆動回路３０の外付けリードＧＮＤに接続され、ゲートは第１の給電制御ポートに接続され、ドレインはＬＥＤ表示パネル１０の対応する行のＬＥＤ粒子のＲ原色陽極（図１０ａにおいて単一行のＬＥＤ粒子であるが、単一行のＬＥＤ粒子でないこともできる）に接続され、また、第２のサブスイッチ回路は一つ又は複数のＮ−ＭＯＳトランジスタを含み、これらのＮ−ＭＯＳトランジスタのソースは表示駆動回路３０の外付けリードＧＮＤに接続され、ゲートは第２の給電制御ポートに接続され、ドレインはＬＥＤ表示パネル１０の対応する行のＬＥＤ粒子のＧとＢ原色陽極（図１０ａにおいて単一行のＬＥＤ粒子であるが、単一行のＬＥＤ粒子でないこともできる）に接続される。
【００９８】
そして、Ｒ原色定電流通路セットは一つ又は複数の定電流ロジック部品を含むことができ、これらの定電流ロジック部品の入力端子はＬＥＤ表示パネル１０の対応する列のＬＥＤ粒子のＲ原色陰極に接続され、定電流ロジック部品の出力端子は表示駆動回路３０の外付けリードＶＣＣＲに接続され、定電流ロジック回路の制御端子は第１のＲ表示制御サブポートに接続され、また、Ｇ原色定電流通路セットは一つ又は複数の定電流ロジック部品を含むことができ、これらの定電流ロジック部品の入力端子はＬＥＤ表示パネル１０の対応する列のＬＥＤ粒子のＧ原色陰極に接続され、定電流ロジック部品の出力端子は表示駆動回路３０の外付けリードＶＣＣＧに接続され、定電流ロジック回路の制御端子は第１のＧ表示制御サブポートに接続され、また、Ｂ原色定電流通路セットは一つ又は複数の定電流ロジック部品を含むことができ、これらの定電流ロジック部品の入力端子はＬＥＤ表示パネル１０の対応する列のＬＥＤ粒子のＢ原色陰極に接続され、定電流ロジック部品の出力端子は表示駆動回路３０の外付けリードＶＣＣＢに接続され、定電流ロジック回路の制御端子は第１のＢ表示制御サブポートに接続される。
【００９９】
ここで、外付けリードＶＣＣＲの給電電圧は外付けリードＶＣＣＧ／ＶＣＣＢの給電電圧より低いことができ、当該電圧値は１.６Ｖであることが好ましく、当該値は、緑色発光ダイオード、青色発光ダイオードの典型的な動作電圧（３.４〜３.６Ｖ）から赤色発光ダイオードの典型的な動作電圧（１.８〜２Ｖ）を引いたものであって、Ｒ／Ｇ／Ｂ原色発光ダイオードの給電電圧を差別化して制御することによって、ＬＥＤディスプレイの消費電力を低減できる。
【０１００】
具体的に、各行の第ｉ個のＬＥＤ粒子中の赤色ランプの陰極は第ｉノードに並列接続され、各行の各ノードは並列接続され、それぞれ第１のサブスイッチ回路３１中の対応する一つのＮ−ＭＯＳトランジスタのドレインに接続され、各行の第ｊ個のＬＥＤ粒子中の緑色ランプの陰極と青色ランプの陰極は第ｊノードに並列接続され、各行の各ノードは並列接続され、第２のサブスイッチ回路３１中の対応する一つのＮ−ＭＯＳトランジスタのドレインに接続され、単一列のＬＥＤ粒子中のＲ原色発光ダイオードの共通陽極は互いに接続されて表示駆動回路３０の第１の定電流通路セットの定電流ロジック部品の入力端子に接続され、単一列のＬＥＤ粒子中のＧ原色発光ダイオードの共通陽極は互いに接続されて表示駆動回路３０の第２の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【０１０１】
そして、実施例８は以下の方法で実現することができる。電界効果トランジスタはＮ−ＭＯＳトランジスタであることができ、ＬＥＤ表示パネル１０はＭ行Ｎ列個のＬＥＤ粒子を含み、各ＬＥＤ粒子はそれぞれ赤色ランプと、緑色ランプと、青色ランプとを含み、ここで、各行の各ＬＥＤ粒子中の赤色ランプの陰極は並列接続され、それぞれ第１のサブスイッチ回路３１中の対応する一つのＮ−ＭＯＳトランジスタのドレインに接続され、各行の各ＬＥＤ粒子中の緑色ランプの陰極と青色ランプの陰極は並列接続され、それぞれ第２のサブスイッチ回路３１中の対応する一つのＮ−ＭＯＳトランジスタのドレインに接続され、各列の各ＬＥＤ粒子の赤色ランプの陽極はそれぞれ並列接続され、それぞれ第１の定電流通路セット中の対応する一つの定電流ロジック部品の第２端子に接続され、各列の各ＬＥＤ粒子の緑色ランプの陽極はそれぞれ並列接続され、それぞれ第２の定電流通路セット中の対応する一つの定電流ロジック部品の第２端子に接続され、各列の各ＬＥＤ粒子の青色ランプの陽極はそれぞれ並列接続され、それぞれ第３の定電流通路セット中の対応する一つの定電流ロジック部品の第２端子に接続される。
【０１０２】
具体的に、各行の各ＬＥＤ粒子中の赤色ランプの陰極の内部は互いに接続されてそれぞれ第１のサブスイッチ回路３１中の対応する一つのＮ−ＭＯＳトランジスタのドレインに接続され、各行の各ＬＥＤ粒子中の緑色と青色ランプの陰極は互いに接続されてそれぞれ第２のサブスイッチ回路３１中の対応する一つのＮ−ＭＯＳトランジスタのドレインに接続され、また、単一列のＬＥＤ粒子中のＲ原色発光ダイオードの共通陽極は互いに接続されて表示駆動回路３０の第１の定電流通路セットの定電流ロジック部品の入力端子に接続され、単一列のＬＥＤ粒子中のＧ原色発光ダイオードの共通陽極は互いに接続されて表示駆動回路３０の第２の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【０１０３】
本発明の上記実施例におけるＬＥＤディスプレイ中のＬＥＤ粒子は赤色ランプと、緑色ランプと、青色ランプとを含み、赤色ランプ、緑色ランプ、青色ランプがＬＥＤ粒子に集積されることができ、また、赤色ランプ、緑色ランプ、青色ランプがそれぞれ独立してカプセル化された後にＬＥＤ粒子に設けられることもできる。
【０１０４】
上記実施例１〜６において、図６ａ、７ａ、８ａ中の電界効果トランジスタはそれぞれ、図７ｃに示すＮ−ＭＯＳトランジスタであることができ、図５ａ、９ａ、１０ａ中の電界効果トランジスタはそれぞれ図１０ｃに示すＰ−ＭＯＳトランジスタであることができる。
【０１０５】
図１１は、本発明の実施例に係わるＬＥＤ制御システムの構造を示す図である。図１１に示すように、当該ＬＥＤ制御システムは表示駆動回路３０を含み、表示駆動回路３０は、スイッチ回路３１と、駆動回路３３と、制御回路３５と、を含み、スイッチ回路３１と駆動回路３３の中の一つの第１端子は給電機器の電源端子に接続され、他の第１端子は給電機器のアース端子に接続され、スイッチ回路３１と駆動回路３３の中の一つの第２端子はＬＥＤ表示パネル１０の陽極に接続され、他の第２端子はＬＥＤ表示パネル１０の陰極に接続され、スイッチ回路３１はＬＥＤ表示パネル１０への給電を制御し、駆動回路３３はＬＥＤ表示パネル１０の順序の表示を制御し、また、制御回路は給電制御回路３５１と駆動制御回路３５３とを含み、給電制御回路３５１は給電制御ポートを介してスイッチ回路３１の第３端子に接続されてスイッチ回路３１のオン又はオフを制御し、駆動制御回路３５３は駆動制御ポートを介して駆動回路３３の第３端子に接続されて駆動回路３３のオン又はオフを制御する。
【０１０６】
本発明のＬＥＤ制御システムによると、当該システム中の表示駆動回路３０がスイッチ回路３１と、駆動回路３３と、制御回路３５とを含み、制御回路３５が給電制御回路３５１と駆動制御回路３５３とを含み、給電制御回路３５１がスイッチ回路３１のオン又はオフを制御し、駆動制御回路３５３が駆動回路３３のオン又はオフを制御し、そして、スイッチ回路３１のオン又はオフによってＬＥＤ表示パネル１０への給電を制御し、駆動回路３３のオン又はオフによってＬＥＤ表示パネル１０の表示を制御することによって、ＬＥＤ表示パネル１０の順序の表示を実現する。本発明のＬＥＤ制御システムによると、スイッチ回路３１、駆動回路３３と制御回路３５を表示駆動回路３０に集積して、元のＬＥＤパネル１０の面積が不変である状況下、更に多い表示駆動回路３０を配置することでき、面積が一定であるＬＥＤディスプレイにおいて、ＬＥＤ粒子と表示駆動回路３０との数量の比を小さくし、リフレッシュレートを向上し、ＬＥＤ表示パネル１０中のＭ行*Ｎ列のＬＥＤ粒子アレイと表示駆動回路３０の接続関係が一層明確であって、接続線路が少なく、ＰＣＢ設計難易度を低下させる。既存技術においてＬＥＤディスプレイの制御回路３５が占めるＰＣＢ面積が大きく、リフレッシュレートが低く、消費電力が大きい問題を解決し、ＬＥＤディスプレイの制御回路３５がパネルで占める面積が小さく、設計が簡単で、リフレッシュレートが高い効果を実現できる。
【０１０７】
上述のように、本発明によると以下の技術効果を実現することができる：本発明のＬＥＤディスプレイによると、駆動回路３３と制御回路３５を表示駆動回路３０に集積して、元のＬＥＤパネル１０の面積が不変である状況下、更に多い表示駆動回路３０を配置することでき、面積が一定であるＬＥＤディスプレイにおいて、ＬＥＤ粒子と表示駆動回路３０との数量の比を小さくし、リフレッシュレートを向上し、また、駆動回路３３が第１の定電流通路セット３３１と、第２の定電流通路セット３３３と、第３の定電流通路セット３３５とを含み、三つの定電流通路セットがそれぞれ、ＬＥＤ表示パネル１０中のＭ行*Ｎ列のＬＥＤ粒子アレイ中のＲ／Ｇ／Ｂ原色の順序の表示を制御し、ＬＥＤ表示パネル１０中のＬＥＤ粒子の赤色ランプと青色／緑色ランプにそれぞれ異なる動作電圧を提供することで、ＬＥＤディスプレイの消費電力を低減できる。既存技術においてＬＥＤディスプレイの制御回路３５が占めるＰＣＢ面積が大きく、リフレッシュレートが低い問題を解決し、ＬＥＤディスプレイの制御回路３５がパネルで占める面積が小さく、設計が簡単で、リフレッシュレートが高い効果を実現できる。
【０１０８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１ｂ】
2016505879.tif 000003
【図１ｃ】
2016505879.tif 000004
【図２ａ】
2016505879.tif 000005
【図２ｂ】
2016505879.tif 000006
【図２ｃ】
2016505879.tif 000007
【図３ａ】
2016505879.tif 000008
【図３ｂ】
2016505879.tif 000009
【図３ｃ】
2016505879.tif 000010
【図５ｂ】
2016505879.tif 000011
【図５ｃ】
2016505879.tif 000012
【図６ｂ】
2016505879.tif 000013
【図６ｃ】
2016505879.tif 000014
【図７ｂ】
2016505879.tif 000015
【図７ｃ】
2016505879.tif 000016
【図７ｄ】
2016505879.tif 000017
【図７ｅ】
2016505879.tif 000018
【図８ｂ】
2016505879.tif 000019
【図８ｃ】
2016505879.tif 000020
【図９ａ】
2016505879.tif 000021
【図９ｂ】
2016505879.tif 000022
【図９ｃ】
2016505879.tif 000023
【図１０ａ】
2016505879.tif 000024
【図１０ｂ】
2016505879.tif 000025
【図１０ｃ】
2016505879.tif 000026
【図１０ｄ】
2016505879.tif 000027
【図１０ｅ】
2016505879.tif 000028
【図１ａ】
2016505879.tif 000029
【図４】
2016505879.tif 000030
【図５】
2016505879.tif 000031
【図５ａ】
2016505879.tif 000032
【図６ａ】
2016505879.tif 000033
【図７ａ】
2016505879.tif 000034
【図８ａ】
2016505879.tif 000035
【図１１】
2016505879.tif 000036
【国際調査報告】
2016505879.tif 000037
2016505879.tif 000038
2016505879.tif 000039
2016505879.tif 000040